(57)【特許請求の範囲】
【請求項１】
遊技機から出力される出力情報を取得する出力情報取得手段を有する携帯端末と、前記出力情報を取得した前記携帯端末からのアクセスに応じて特典を付与するための処理を行なう遊技用サーバとを備える遊技用システムであって、
前記携帯端末は、
前記出力情報取得手段によって前記出力情報が取得された場合に、前記特典のうち特別特典を受けるための特定アクセスを行なうための前記携帯端末の処理手順を示す特定プログラムに従った前記遊技用サーバへの前記特定アクセスに伴って取得された前記出力情報の種類を特定可能な出力情報特定情報と前記携帯端末を個々に識別可能な携帯識別情報とを前記遊技用サーバに送信する送信手段を備え、
前記遊技用サーバは、
前記送信手段により送信されてきた前記出力情報特定情報と前記携帯識別情報とを受信する受信手段と、
複数種類の前記出力情報の組合せに応じて付与する特典を設定する特典設定手段と、
各携帯識別情報に対応付けて前記受信手段により受信した前記出力情報特定情報を記憶する携帯別出力情報記憶手段と、
前記受信手段により前記出力情報特定情報と前記携帯識別情報とを受信したときに、該受信した前記携帯識別情報に対応付けて前記携帯別出力情報記憶手段に記憶されている前記出力情報特定情報を特定する出力情報特定情報特定手段と、
該出力情報特定情報特定手段により特定された前記出力情報特定情報により特定される前記出力情報の種類と受信した前記出力情報特定情報により特定される前記出力情報の種類との組合せに対して前記特典設定手段にて設定された特典を付与するための特典付与処理を行なう特典付与処理手段とを備え、
前記携帯端末の前記送信手段は、
前記出力情報に含まれる第１アクセス情報に基づいて前記遊技用サーバに前記特定アクセスを行なう第１アクセス手段と、
前記特定アクセスと異なり前記特定プログラムに従わずに行なわれる通常アクセスを、前記第１アクセス情報とは異なる第２アクセス情報に基づいて前記遊技用サーバに行なう第２アクセス手段とを含み、
前記特典付与処理手段は、前記第１アクセス手段による前記特定アクセスがあった場合に前記特典付与処理として前記特別特典を付与するとともに、前記第２アクセス手段による前記通常アクセスがあった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする、遊技用システム。
【請求項２】
遊技機から出力される出力情報を取得する出力情報取得手段を有する携帯端末からのアクセスに応じて特典を付与するための処理を行なう遊技用サーバであって、
前記出力情報を取得した前記携帯端末からの、前記特典のうち特別特典を受けるための特典アクセスを行なうための前記携帯端末の処理手順を示す特定プログラムに従った特定アクセスに伴って当該出力情報の種類を特定可能な出力情報特定情報と、該携帯端末を個々に識別可能な携帯識別情報とを、受信する受信手段と、
複数種類の前記出力情報の組合せに応じて付与する特典を設定する特典設定手段と、
各携帯識別情報に対応付けて前記受信手段により受信した前記出力情報特定情報を記憶する携帯別出力情報記憶手段と、
前記受信手段により前記出力情報特定情報と前記携帯識別情報とを受信したときに、該受信した前記携帯識別情報に対応付けて前記携帯別出力情報記憶手段に記憶されている前記出力情報特定情報を特定する出力情報特定情報特定手段と、
該出力情報特定情報特定手段により特定された前記出力情報特定情報により特定される前記出力情報の種類と受信した前記出力情報特定情報により特定される前記出力情報の種類との組合せに対して前記特典設定手段にて設定された特典を付与するための特典付与処理を行なう特典付与処理手段とを備え、
前記受信手段は、
前記出力情報に含まれる第１アクセス情報に基づいて行なわれる前記特定アクセスを受付ける第１アクセス受付手段と、
前記特定アクセスと異なり前記特定プログラムに従わずに、前記第１アクセス情報とは異なる第２アクセス情報に基づいて行なわれる通常アクセスを受付ける第２アクセス受付手段とを含み、
前記特典付与処理手段は、前記第１アクセス受付手段による前記特定アクセスの受付があった場合に前記特典付与処理として前記特別特典を付与するとともに、前記第２アクセス受付手段による前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする、遊技用サーバ。
【請求項３】
特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む前記出力情報を出力する出力手段とを含み、
前記出力情報に含まれる前記出力情報特定情報は、当該出力情報を取得した前記携帯端末からの、前記特典のうち特別特典を受けるための特典アクセスを行なうための前記携帯端末の処理手順を示す特定プログラムに従った特定アクセスに伴って前記携帯端末で取得された前記出力情報特定情報を該携帯端末から受信した前記遊技用サーバが記憶可能な情報であり、当該携帯端末から受信した前記出力情報特定情報と記憶している前記出力情報特定情報とにより特定される複数の前記出力情報の組合せに対する特典を付与する際に用いられる情報であり、特典のうち前記特別特典は、前記出力情報に含まれる第１アクセス情報に基づいて行なわれる前記特定アクセスの受付があった場合に付与され、特典のうち前記特別特典と価値の異なる通常特典は、前記特定アクセスと異なり前記特定プログラムに従わずに前記第１アクセス情報とは異なる第２アクセス情報に基づいて行なわれる通常アクセスの受付があった場合に付与され、
前記出力情報は、前記遊技機の表示部で表示され、前記携帯端末の撮像装置で撮像可能であることを特徴とする、遊技機。
【請求項４】
遊技機から出力される出力情報を取得する出力情報取得手段を有する携帯端末と、前記出力情報を取得した前記携帯端末からのアクセスに応じて特典を付与するための処理を行なう遊技用サーバとを備える遊技用システムであって、
前記携帯端末は、
前記出力情報取得手段により取得された複数の前記出力情報各々の種類を特定可能な出力情報特定情報を記憶する出力情報記憶手段と、
前記特典のうち特別特典を受けるための特定アクセスを行なうための前記携帯端末の処理手順を示す特定プログラムに従った前記遊技用サーバへの前記特定アクセスに伴って前記出力情報記憶手段に記憶されている複数の前記出力情報特定情報を前記遊技用サーバに送信する送信手段とを備え、
前記遊技用サーバは、
前記送信手段により送信されてきた複数の前記出力情報特定情報を受信する受信手段と、
複数種類の前記出力情報の組合せに応じて付与する特典を設定する特典設定手段と、
前記受信手段により受信した複数の前記出力情報特定情報により特定される複数の前記出力情報の種類の組合せに対して前記特典設定手段にて設定された特典を付与するための特典付与処理を行なう特典付与処理手段とを備え、
前記携帯端末の前記送信手段は、
前記出力情報に含まれる第１アクセス情報に基づいて前記遊技用サーバに前記特定アクセスを行なう第１アクセス手段と、
前記特定アクセスと異なり前記特定プログラムに従わずに行なわれる通常アクセスを、前記第１アクセス情報とは異なる第２アクセス情報に基づいて前記遊技用サーバに行なう第２アクセス手段とを含み、
前記特典付与処理手段は、前記第１アクセス手段による前記特定アクセスがあった場合に前記特典付与処理として前記特別特典を付与するとともに、前記第２アクセス手段による前記通常アクセスがあった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする、遊技用システム。
【請求項５】
遊技機から出力される出力情報を取得する出力情報取得手段を有する携帯端末からのアクセスに応じて特典を付与するための処理を行なう遊技用サーバであって、
複数の前記出力情報を取得した前記携帯端末からの、前記特典のうち特別特典を受けるための特典アクセスを行なうための前記携帯端末の処理手順を示す特定プログラムに従った特定アクセスに伴って当該複数の前記出力情報各々の種類を特定可能な出力情報特定情報を受信する受信手段と、
複数種類の前記出力情報の組合せに応じて付与する特典を設定する特典設定手段と、
前記受信手段より受信した複数の前記出力情報特定情報により特定される複数の前記出力情報の種類の組合せに対して前記特典設定手段にて設定された特典を付与するための特典付与処理を行なう特典付与処理手段とを備え、
前記受信手段は、
前記出力情報に含まれる第１アクセス情報に基づいて行なわれる前記特定アクセスを受付ける第１アクセス受付手段と、
前記特定アクセスと異なり前記特定プログラムに従わずに、前記第１アクセス情報とは異なる第２アクセス情報に基づいて行なわれる通常アクセスを受付ける第２アクセス受付手段とを含み、
前記特典付与処理手段は、前記第１アクセス受付手段による前記特定アクセスの受付があった場合に前記特典付与処理として前記特別特典を付与するとともに、前記第２アクセス受付手段による前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする、遊技用サーバ。
【請求項６】
特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む前記出力情報を出力する出力手段とを含み、
前記出力情報に含まれる前記出力情報特定情報は、前記携帯端末に複数記憶可能な情報であり、当該出力情報を取得した前記携帯端末からの、前記特典のうち特別特典を受けるための特典アクセスを行なうための前記携帯端末の処理手順を示す特定プログラムに従った特定アクセスに伴って当該複数の前記出力情報特定情報を前記携帯端末から受信した前記遊技用サーバが該複数の前記出力情報特定情報により特定される複数の前記出力情報の組合せに対する特典を付与する際に用いられる情報であり、特典のうち前記特別特典は、前記出力情報に含まれる第１アクセス情報に基づいて行なわれる前記特定アクセスの受付があった場合に付与され、特典のうち前記特別特典と価値の異なる通常特典は、前記特定アクセスと異なり前記特定プログラムに従わずに前記第１アクセス情報とは異なる第２アクセス情報に基づいて行なわれる通常アクセスの受付があった場合に付与され、
前記出力情報は、前記遊技機の表示部で表示され、前記携帯端末に含まれる撮像装置で撮像可能であることを特徴とする、遊技機。
【請求項７】
遊技機から出力される出力情報を取得する出力情報取得手段と、
前記出力情報取得手段により取得された複数の前記出力情報各々の種類を特定可能な出力情報特定情報を記憶する出力情報記憶手段と、
前記出力情報取得手段によって前記出力情報が取得された場合に、複数種類の前記出力情報の組合せに応じて付与する特典を設定し、携帯端末から受信した複数の前記出力情報特定情報から特定される複数の前記出力情報の組合せに対して設定された特典を付与するための特典付与処理を行なう遊技用サーバへの、前記特典のうち特別特典を受けるための特定アクセスを行なうための前記携帯端末の処理手順を示す特定プログラムに従った前記特定アクセスに伴って前記出力情報記憶手段に記憶されている複数の前記出力情報特定情報を前記遊技用サーバに送信する送信手段とを備え、
前記送信手段は、
前記出力情報に含まれる第１アクセス情報に基づいて前記遊技用サーバに前記特定アクセスを行なう第１アクセス手段と、
前記特定アクセスと異なり前記特定プログラムに従わずに行なわれる通常アクセスを、前記第１アクセス情報とは異なる第２アクセス情報に基づいて前記遊技用サーバに行なう第２アクセス手段とを含み、
前記第１アクセス手段による前記特定アクセスがあった場合に、前記特典付与処理として行なわれる前記特別特典の付与に伴う当該特別特典を取得するための処理を行なうとともに、前記第２アクセス手段による前記通常アクセスがあった場合に、前記特典付与処理として行なわれ前記特別特典と価値の異なる通常特典の付与に伴う当該通常特典を取得するための処理を行なう所定特典取得処理手段をさらに備え、
前記出力情報取得手段は、撮像装置を含み、
前記出力情報は、前記遊技機の表示部で表示され、前記撮像装置で撮像可能であることを特徴とする、携帯端末。
【請求項８】
遊技機から出力される出力情報を取得する出力情報取得手段を有する携帯端末に記憶され実行される携帯端末用プログラムと、前記出力情報を取得した前記携帯端末からのアクセスに応じて特典を付与するための処理を行なう遊技用サーバに記憶され実行される遊技用サーバプログラムとを含む遊技用プログラムであって、
前記携帯端末用プログラムは、
前記出力情報取得手段によって前記出力情報が取得された場合に、前記特典のうち特別特典を受けるための特定アクセスを行なうための前記携帯端末の処理手順を示す特定プログラムに従った前記遊技用サーバへの前記特定アクセスに伴って取得された前記出力情報の種類を特定可能な出力情報特定情報と前記携帯端末を個々に識別可能な携帯識別情報とを前記遊技用サーバに送信する送信ステップを備え、
前記遊技用サーバプログラムは、
前記送信ステップにより送信されてきた前記出力情報特定情報と前記携帯識別情報とを受信する受信ステップと、
複数種類の前記出力情報の組合せに応じて付与する特典を設定する特典設定ステップと、
各携帯識別情報に対応付けて前記受信ステップにより受信した前記出力情報特定情報を記憶する携帯別出力情報記憶ステップと、
前記受信ステップにより前記出力情報特定情報と前記携帯識別情報とを受信したときに、該受信した前記携帯識別情報に対応付けて前記携帯別出力情報記憶ステップにより記憶されている前記出力情報特定情報を特定する出力情報特定情報特定ステップと、
該出力情報特定情報特定ステップにより特定された前記出力情報特定情報により特定される前記出力情報の種類と受信した前記出力情報特定情報により特定される前記出力情報の種類との組合せに対して前記特典設定ステップにて設定された特典を付与するための特典付与処理を行なう特典付与処理ステップとを含み、
前記遊技用サーバプログラムの受信ステップは、
前記出力情報に含まれる第１アクセス情報に基づいて行なわれる前記特定アクセスを受付ける第１アクセス受付ステップと、
前記特定アクセスと異なり前記特定プログラムに従わずに、前記第１アクセス情報とは異なる第２アクセス情報に基づいて行なわれる通常アクセスを受付ける第２アクセス受付ステップとを含み、
前記特典付与処理ステップは、前記第１アクセス受付ステップによる前記特定アクセスの受付があった場合に前記特典付与処理として前記特別特典を付与するとともに、前記第２アクセス受付ステップによる前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする、遊技用プログラム。
【請求項９】
遊技機から出力される出力情報を取得する出力情報取得手段を有する携帯端末に記憶され実行される携帯端末用プログラムと、前記出力情報を取得した前記携帯端末からのアクセスに応じて特典を付与するための処理を行なう遊技用サーバに記憶され実行される遊技用サーバプログラムとを含む遊技用プログラムであって、
前記携帯端末用プログラムは、
前記出力情報取得手段により取得された複数の前記出力情報各々の種類を特定可能な出力情報特定情報を記憶する出力情報記憶ステップと、
前記特典のうち特別特典を受けるための特定アクセスを行なうための前記携帯端末の処理手順を示す特定プログラムに従った前記遊技用サーバへの前記特定アクセスに伴って前記出力情報記憶ステップにより記憶された複数の前記出力情報特定情報を前記遊技用サーバに送信する送信ステップとを含み、
前記遊技用サーバプログラムは、
前記送信ステップにより送信されてきた複数の前記出力情報特定情報を受信する受信ステップと、
複数種類の前記出力情報の組合せに応じて付与する特典を設定する特典設定ステップと、
前記受信ステップにより受信した複数の前記出力情報特定情報により特定される複数の前記出力情報の種類の組合せに対して前記特典設定ステップにて設定された特典を付与するための特典付与処理を行なう特典付与処理ステップとを含み、
前記遊技用サーバプログラムの受信ステップは、
前記出力情報に含まれる第１アクセス情報に基づいて行なわれる前記特定アクセスを受付ける第１アクセス受付ステップと、
前記特定アクセスと異なり前記特定プログラムに従わずに、前記第１アクセス情報とは異なる第２アクセス情報に基づいて行なわれる通常アクセスを受付ける第２アクセス受付ステップとを含み、
前記特典付与処理ステップは、前記第１アクセス受付ステップによる前記特定アクセスの受付があった場合に前記特典付与処理として前記特別特典を付与するとともに、前記第２アクセス受付ステップによる前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする、遊技用プログラム。
【請求項１０】
遊技機から出力される出力情報を取得する出力情報取得ステップと、
前記出力情報取得ステップにより取得された複数の前記出力情報各々の種類を特定可能な出力情報特定情報を記憶する出力情報記憶ステップと、
前記出力情報取得ステップによって前記出力情報が取得された場合に、複数種類の前記出力情報の組合せに応じて付与する特典を設定し、携帯端末から受信した複数の前記出力情報特定情報から特定される複数の前記出力情報の組合せに対して設定された特典を付与するための特典付与処理を行なう遊技用サーバへの、前記特典のうち特別特典を受けるための特定アクセスを行なうための前記携帯端末の処理手順を示す特定プログラムに従った前記特定アクセスに伴って前記出力情報記憶ステップにより記憶されている複数の前記出力情報特定情報を前記遊技用サーバに送信する送信ステップとを含み、
前記送信ステップは、
前記出力情報に含まれる第１アクセス情報に基づいて前記遊技用サーバに前記特定アクセスを行なう第１アクセスステップと、
前記特定アクセスと異なり前記特定プログラムに従わずに行なわれる通常アクセスを、前記第１アクセス情報とは異なる第２アクセス情報に基づいて前記遊技用サーバに行なう第２アクセスステップとを含み、
前記第１アクセスステップによる前記特定アクセスがあった場合に、前記特典付与処理として行なわれる前記特別特典の付与に伴う当該特別特典を取得するための処理を行なうとともに、前記第２アクセスステップによる前記通常アクセスがあった場合に、前記特典付与処理として行なわれ前記特別特典と価値の異なる通常特典の付与に伴う当該通常特典を取得するための処理を行なう所定特典取得処理ステップをさらに含み、
前記出力情報は、前記遊技機の表示部で表示され、前記携帯端末に含まれる撮像装置で撮像可能であることを特徴とする、携帯端末用プログラム。
【発明の詳細な説明】
【技術分野】
【０００１】
本発明は、遊技用システム、遊技用サーバ、遊技機、携帯端末、遊技用プログラムおよび携帯端末用プログラムに関する。詳しくは、遊技機から出力される出力情報を取得する出力情報取得手段を有する携帯端末と、前記出力情報を取得した前記携帯端末からのアクセスに応じて特典を付与するための処理を行なうサーバとを備える遊技用システム、出力情報を取得した携帯端末からのアクセスに応じて特典を付与するための処理を行なう遊技用サーバ、出力情報を出力する遊技機、および、遊技機から出力される出力情報を取得する携帯端末に記憶され実行される携帯端末用プログラムと、前記出力情報を取得した前記携帯端末からのアクセスに応じて特典を付与するための処理を行なうサーバによって実行されるサーバ用プログラムと前記携帯端末用プログラムとを含む遊技用プログラムに関する。
【背景技術】
【０００２】
従来から、次に説明するような遊技機、携帯端末およびサーバを含むシステムがあった。つまり、遊技機から出現する複数種類の演出のうち出現頻度の低い演出がなされたときに、その演出に対応して、特典を取得可能な出力情報としての所定の二次元コードを遊技者に表示し、その二次元コードを遊技者が携帯端末で撮影してその二次元コードに含まれるＵＲＬにアクセスすることにより所定のプレミアム特典が得られるように構成されていた（たとえば、特許文献１参照）。
【先行技術文献】
【特許文献】
【０００３】
【特許文献１】特開２００６−１５８８４６号公報
【発明の概要】
【発明が解決しようとする課題】
【０００４】
しかし、この従来のシステムでは、遊技者が、特典を取得可能な出力情報（二次元コード）を取得したときに、単発的に特典が遊技者に付与されるだけであったため、二次元コードを取得した遊技者に対する再遊技への動機付けが弱いという問題があった。
【０００５】
本発明は、係る実情に鑑み考え出されたものであり、その目的は、特典を取得可能な出力情報を遊技機から取得した遊技者に対する再遊技への動機付けを強く持たせることである。
【課題を解決するための手段】
【０００６】
（１）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）と、前記出力情報を取得した前記携帯端末からのアクセスに応じて特典（たとえば、待受け画像、買物ポイント、記念品）を付与するための処理を行なう遊技用サーバ（たとえば、遊技機メーカサーバ２００）とを備える遊技用システム（たとえば、特典付与システム１０）であって、
前記携帯端末は、
前記出力情報取得手段によって前記出力情報が取得された場合に、前記特典のうち特別特典を受けるための特定アクセスを行なうための前記携帯端末の処理手順を示す特定プログラムに従った前記遊技用サーバへの前記特定アクセスに伴って取得された前記出力情報の種類を特定可能な出力情報特定情報（たとえば、ＵＲＬ、所定の演出画像）と前記携帯端末を個々に識別可能な携帯識別情報（たとえば、会員ＩＤ）とを前記遊技用サーバに送信する送信手段（たとえば、図１３のＳ１３５）を備え、
前記遊技用サーバは、
前記送信手段により送信されてきた前記出力情報特定情報と前記携帯識別情報とを受信する受信手段（たとえば、図１５のＳ２３１）と、
複数種類の前記出力情報の組合せに応じて付与する特典を設定する特典設定手段（たとえば、図１８のＳ３０２、図８（ｂ）の組合せ特典ＤＢ）と、
各携帯識別情報に対応付けて前記受信手段により受信した前記出力情報特定情報を記憶する携帯別出力情報記憶手段（たとえば、図１６のＳ４０３、Ｓ４０６）と、
前記受信手段により前記出力情報特定情報と前記携帯識別情報とを受信したときに、該受信した前記携帯識別情報に対応付けて前記携帯別出力情報記憶手段に記憶されている前記出力情報特定情報を特定する出力情報特定情報特定手段（たとえば、図１６のＳ４０１、Ｓ４０４）と、
該出力情報特定情報特定手段により特定された前記出力情報特定情報により特定される前記出力情報の種類と受信した前記出力情報特定情報により特定される前記出力情報の種類との組合せに対して前記特典設定手段にて設定された特典を付与するための特典付与処理を行なう特典付与処理手段（たとえば、図１６のＳ４０４、Ｓ４０５）とを備え、
前記携帯端末の前記送信手段は、
前記出力情報に含まれる第１アクセス情報に基づいて前記遊技用サーバに前記特定アクセスを行なう第１アクセス手段と、
前記特定アクセスと異なり前記特定プログラムに従わずに行なわれる通常アクセスを、前記第１アクセス情報とは異なる第２アクセス情報に基づいて前記遊技用サーバに行なう第２アクセス手段とを含み、
前記特典付与処理手段は、前記第１アクセス手段による前記特定アクセスがあった場合に前記特典付与処理として前記特別特典を付与するとともに、前記第２アクセス手段による前記通常アクセスがあった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする。
【０００７】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０００８】
（２）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）からのアクセスに応じて特典（たとえば、待受け画像、買物ポイント、記念品）を付与するための処理を行なう遊技用サーバ（たとえば、遊技機メーカサーバ２００）であって、
前記出力情報を取得した前記携帯端末からの、前記特典のうち特別特典を受けるための特典アクセスを行なうための前記携帯端末の処理手順を示す特定プログラムに従った特定アクセスに伴って当該出力情報の種類を特定可能な出力情報特定情報（たとえば、ＵＲＬ、所定の演出画像）と、該携帯端末を個々に識別可能な携帯識別情報（たとえば、会員ＩＤ）とを、受信する受信手段（たとえば、図１５のＳ２３１）と、
複数種類の前記出力情報の組合せに応じて付与する特典を設定する特典設定手段（たとえば、図１８のＳ３０２、図８（ｂ）の組合せ特典ＤＢ）と、
各携帯識別情報に対応付けて前記受信手段により受信した前記出力情報特定情報を記憶する携帯別出力情報記憶手段（たとえば、図１６のＳ４０３、Ｓ４０６）と、
前記受信手段により前記出力情報特定情報と前記携帯識別情報とを受信したときに、該受信した前記携帯識別情報に対応付けて前記携帯別出力情報記憶手段に記憶されている前記出力情報特定情報を特定する出力情報特定情報特定手段（たとえば、図１６のＳ４０１、Ｓ４０４）と、
該出力情報特定情報特定手段により特定された前記出力情報特定情報により特定される前記出力情報の種類と受信した前記出力情報特定情報により特定される前記出力情報の種類との組合せに対して前記特典設定手段にて設定された特典を付与するための特典付与処理を行なう特典付与処理手段（たとえば、図１６のＳ４０４、Ｓ４０５）とを備え、
前記受信手段は、
前記出力情報に含まれる第１アクセス情報に基づいて行なわれる前記特定アクセスを受付ける第１アクセス受付手段と、
前記特定アクセスと異なり前記特定プログラムに従わずに、前記第１アクセス情報とは異なる第２アクセス情報に基づいて行なわれる通常アクセスを受付ける第２アクセス受付手段とを含み、
前記特典付与処理手段は、前記第１アクセス受付手段による前記特定アクセスの受付があった場合に前記特典付与処理として前記特別特典を付与するとともに、前記第２アクセス受付手段による前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする。
【０００９】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００１０】
（３）  特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む前記出力情報を出力する出力手段とを含み、
前記出力情報に含まれる前記出力情報特定情報は、当該出力情報を取得した前記携帯端末からの、前記特典のうち特別特典を受けるための特典アクセスを行なうための前記携帯端末の処理手順を示す特定プログラムに従った特定アクセスに伴って前記携帯端末で取得された前記出力情報特定情報を該携帯端末から受信した前記遊技用サーバが記憶可能な情報であり、当該携帯端末から受信した前記出力情報特定情報と記憶している前記出力情報特定情報とにより特定される複数の前記出力情報の組合せに対する特典を付与する際に用いられる情報であり、特典のうち前記特別特典は、前記出力情報に含まれる第１アクセス情報に基づいて行なわれる前記特定アクセスの受付があった場合に付与され、特典のうち前記特別特典と価値の異なる通常特典は、前記特定アクセスと異なり前記特定プログラムに従わずに第１アクセス情報とは異なる第２アクセス情報に基づいて行なわれる通常アクセスの受付があった場合に付与され、
前記出力情報は、前記遊技機の表示部で表示され、前記携帯端末の撮像装置で撮像可能であることを特徴とする。
【００１１】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００１２】
（４）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）と、前記出力情報を取得した前記携帯端末からのアクセスに応じて特典（たとえば、待受け画像、買物ポイント、記念品）を付与するための処理を行なう遊技用サーバ（たとえば、遊技機メーカサーバ２００）とを備える遊技用システム（たとえば、特典付与システム１０）であって、
前記携帯端末は、
前記出力情報取得手段により取得された複数の前記出力情報各々の種類を特定可能な出力情報特定情報（たとえば、ＵＲＬ、所定の演出画像）を記憶する出力情報記憶手段（たとえば、図１９の特典ＤＢ）と、
前記特典のうち特別特典を受けるための特定アクセスを行なうための前記携帯端末の処理手順を示す特定プログラムに従った前記遊技用サーバへの前記特定アクセスに伴って前記出力情報記憶手段に記憶されている複数の前記出力情報特定情報を前記遊技用サーバに送信する送信手段（たとえば、図２１のＳ１３５、図２２の４１３）とを備え、
前記遊技用サーバは、
前記送信手段により送信されてきた複数の前記出力情報特定情報を受信する受信手段（たとえば、図１５のＳ２３１）と、
複数種類の前記出力情報の組合せに応じて付与する特典を設定する特典設定手段（たとえば、図２５のＳ３０２、図８（ｂ）の組合せ特典ＤＢ）と、
前記受信手段により受信した複数の前記出力情報特定情報により特定される複数の前記出力情報の種類の組合せに対して前記特典設定手段にて設定された特典を付与するための特典付与処理を行なう特典付与処理手段（たとえば、図２３のＳ４０４、Ｓ４０６）とを備え、
前記携帯端末の前記送信手段は、
前記出力情報に含まれる第１アクセス情報に基づいて前記遊技用サーバに前記特定アクセスを行なう第１アクセス手段と、
前記特定アクセスと異なり前記特定プログラムに従わずに行なわれる通常アクセスを、前記第１アクセス情報とは異なる第２アクセス情報に基づいて前記遊技用サーバに行なう第２アクセス手段とを含み、
前記特典付与処理手段は、前記第１アクセス手段による前記特定アクセスがあった場合に前記特典付与処理として前記特別特典を付与するとともに、前記第２アクセス手段による前記通常アクセスがあった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする。
【００１３】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００１４】
（５）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）からのアクセスに応じて特典（たとえば、待受け画像、買物ポイント、記念品）を付与するための処理を行なう遊技用サーバ（たとえば、遊技機メーカサーバ２００）であって、
複数の前記出力情報を取得した前記携帯端末からの、前記特典のうち特別特典を受けるための特典アクセスを行なうための前記携帯端末の処理手順を示す特定プログラムに従った特定アクセスに伴って当該複数の前記出力情報各々の種類を特定可能な出力情報特定情報（たとえば、ＵＲＬ、所定の演出画像）を受信する受信手段（たとえば、図１５のＳ２３１、図２３のＳ４０１）と、
複数種類の前記出力情報の組合せに応じて付与する特典を設定する特典設定手段（たとえば、図２５のＳ３０２、図８（ｂ）の組合せ特典ＤＢ）と、
前記受信手段より受信した複数の前記出力情報特定情報により特定される複数の前記出力情報の種類の組合せに対して前記特典設定手段にて設定された特典を付与するための特典付与処理を行なう特典付与処理手段（たとえば、図２３のＳ４０４、Ｓ４０６）とを備え、
前記受信手段は、
前記出力情報に含まれる第１アクセス情報に基づいて行なわれる前記特定アクセスを受付ける第１アクセス受付手段と、
前記特定アクセスと異なり前記特定プログラムに従わずに、前記第１アクセス情報とは異なる第２アクセス情報に基づいて行なわれる通常アクセスを受付ける第２アクセス受付手段とを含み、
前記特典付与処理手段は、前記第１アクセス受付手段による前記特定アクセスの受付があった場合に前記特典付与処理として前記特別特典を付与するとともに、前記第２アクセス受付手段による前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする。
【００１５】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００１６】
（６）  特典を付与するための処理を行なう遊技用サーバにアクセスするために必要な出力情報を携帯端末に対して出力する遊技機であって、
前記携帯端末に対して前記出力情報を出力するための情報を記憶する記憶手段と、
前記出力情報を出力するための予め定められた出力条件が成立する毎に、前記記憶手段に記憶されている情報に基づいて、前記出力情報の種類を特定可能な出力情報特定情報を含む前記出力情報を出力する出力手段とを含み、
前記出力情報に含まれる前記出力情報特定情報は、前記携帯端末に複数記憶可能な情報であり、当該出力情報を取得した前記携帯端末からの、前記特典のうち特別特典を受けるための特典アクセスを行なうための前記携帯端末の処理手順を示す特定プログラムに従った特定アクセスに伴って当該複数の前記出力情報特定情報を前記携帯端末から受信した前記遊技用サーバが該複数の前記出力情報特定情報により特定される複数の前記出力情報の組合せに対する特典を付与する際に用いられる情報であり、特典のうち前記特別特典は、前記出力情報に含まれる第１アクセス情報に基づいて行なわれる前記特定アクセスの受付があった場合に付与され、特典のうち前記特別特典と価値の異なる通常特典は、前記特定アクセスと異なり前記特定プログラムに従わずに第１アクセス情報とは異なる第２アクセス情報に基づいて行なわれる通常アクセスの受付があった場合に付与され、
前記出力情報は、前記遊技機の表示部で表示され、前記携帯端末に含まれる撮像装置で撮像可能であることを特徴とする。
【００１７】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００１８】
（７）  遊技機から出力される出力情報を取得する出力情報取得手段（たとえば、カメラ部１９０、データ処理部１１０、図２１のＳ１２３〜Ｓ１２５）と、
前記出力情報取得手段により取得された複数の前記出力情報各々の種類を特定可能な出力情報特定情報（たとえば、取得ＩＤ、取得済ＩＤ）を記憶する出力情報記憶手段（たとえば、図１９の取得特典ＤＢ、図２１のＳ１２６）と、
前記出力情報取得手段によって前記出力情報が取得された場合に、複数種類の前記出力情報の組合せに応じて付与する特典を設定し、携帯端末から受信した複数の前記出力情報特定情報から特定される複数の前記出力情報の組合せに対して設定された特典を付与するための特典付与処理を行なう遊技用サーバへの、前記特典のうち特別特典を受けるための特定アクセスを行なうための前記携帯端末の処理手順を示す特定プログラムに従った前記特定アクセスに伴って前記出力情報記憶手段に記憶されている複数の前記出力情報特定情報を前記遊技用サーバに送信する送信手段（たとえば、図２１のＳ１３５、図２２の４１３）とを備え、
前記送信手段は、
前記出力情報に含まれる第１アクセス情報に基づいて前記遊技用サーバに前記特定アクセスを行なう第１アクセス手段と、
前記特定アクセスと異なり前記特定プログラムに従わずに行なわれる通常アクセスを、前記第１アクセス情報とは異なる第２アクセス情報に基づいて前記遊技用サーバに行なう第２アクセス手段とを含み、
前記第１アクセス手段による前記特定アクセスがあった場合に、前記特典付与処理として行なわれる前記特別特典の付与に伴う当該特別特典を取得するための処理を行なうとともに、前記第２アクセス手段による前記通常アクセスがあった場合に、前記特典付与処理として行なわれ前記特別特典と価値の異なる通常特典の付与に伴う当該通常特典を取得するための処理を行なう所定特典取得処理手段をさらに備え、
前記出力情報取得手段は、撮像装置を含み、
前記出力情報は、前記遊技機の表示部で表示され、前記撮像装置で撮像可能であることを特徴とする。
【００１９】
このような構成によれば、携帯端末は、遊技機から出力される複数種類の出力情報の組合せに応じて特典を付与する遊技用サーバへのアクセスに伴って複数の出力情報特定情報を送信し、遊技者は、当該送信した複数の出力情報特定情報により特定される複数の出力情報の種類の組合せに対して設定された特典の付与を受けることができるので、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００２０】
（８）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）に記憶され実行される携帯端末用プログラム（たとえば、図１３の特典受取アプリ＋復号アプリ）と、前記出力情報を取得した前記携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段によって前記出力情報が取得された場合に、前記特典のうち特別特典を受けるための特定アクセスを行なうための前記携帯端末の処理手順を示す特定プログラムに従った前記遊技用サーバへの前記特定アクセスに伴って取得された前記出力情報の種類を特定可能な出力情報特定情報（たとえば、ＵＲＬ、所定の演出画像）と前記携帯端末を個々に識別可能な携帯識別情報（たとえば、会員ＩＤ）とを前記遊技用サーバに送信する送信ステップ（たとえば、図１３のＳ１３５）を備え、
前記遊技用サーバプログラムは、
前記送信ステップにより送信されてきた前記出力情報特定情報と前記携帯識別情報とを受信する受信ステップ（たとえば、図１５のＳ２３１）と、
複数種類の前記出力情報の組合せに応じて付与する特典を設定する特典設定ステップ（たとえば、図１８のＳ３０２、図８（ｂ）の組合せ特典ＤＢ）と、
各携帯識別情報に対応付けて前記受信ステップにより受信した前記出力情報特定情報を記憶する携帯別出力情報記憶ステップ（たとえば、図１６のＳ４０３、Ｓ４０６）と、
前記受信ステップにより前記出力情報特定情報と前記携帯識別情報とを受信したときに、該受信した前記携帯識別情報に対応付けて前記携帯別出力情報記憶ステップにより記憶されている前記出力情報特定情報を特定する出力情報特定情報特定ステップ（たとえば、図１６のＳ４０１、Ｓ４０４）と、
該出力情報特定情報特定ステップにより特定された前記出力情報特定情報により特定される前記出力情報の種類と受信した前記出力情報特定情報により特定される前記出力情報の種類との組合せに対して前記特典設定ステップにて設定された特典を付与するための特典付与処理を行なう特典付与処理ステップ（たとえば、図１６のＳ４０４、Ｓ４０５）とを含み、
前記遊技用サーバプログラムの受信ステップは、
前記出力情報に含まれる第１アクセス情報に基づいて行なわれる前記特定アクセスを受付ける第１アクセス受付ステップと、
前記特定アクセスと異なり前記特定プログラムに従わずに、前記第１アクセス情報とは異なる第２アクセス情報に基づいて行なわれる通常アクセスを受付ける第２アクセス受付ステップとを含み、
前記特典付与処理ステップは、前記第１アクセス受付ステップによる前記特定アクセスの受付があった場合に前記特典付与処理として前記特別特典を付与するとともに、前記第２アクセス受付ステップによる前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする。
【００２１】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００２２】
（９）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）に記憶され実行される携帯端末用プログラム（たとえば、図２１の特典受取アプリ＋復号アプリ）と、前記出力情報を取得した前記携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段により取得された複数の前記出力情報各々の種類を特定可能な出力情報特定情報（たとえば、ＵＲＬ、所定の演出画像）を記憶する出力情報記憶ステップ（たとえば、図２１のＳ１２６）と、
前記特典のうち特別特典を受けるための特定アクセスを行なうための前記携帯端末の処理手順を示す特定プログラムに従った前記遊技用サーバへの前記特定アクセスに伴って前記出力情報記憶ステップにより記憶された複数の前記出力情報特定情報を前記遊技用サーバに送信する送信ステップ（たとえば、図２１のＳ１３５、図２２のＳ４１３）とを含み、
前記遊技用サーバプログラムは、
前記送信ステップにより送信されてきた複数の前記出力情報特定情報を受信する受信ステップ（たとえば、図１５のＳ２３１、図２３のＳ４０１）と、
複数種類の前記出力情報の組合せに応じて付与する特典を設定する特典設定ステップ（たとえば、図２５のＳ３０２、図８（ｂ）の組合せ特典ＤＢ）と、
前記受信ステップにより受信した複数の前記出力情報特定情報により特定される複数の前記出力情報の種類の組合せに対して前記特典設定ステップにて設定された特典を付与するための特典付与処理を行なう特典付与処理ステップ（たとえば、図２３のＳ４０４、Ｓ４０６）とを含み、
前記遊技用サーバプログラムの受信ステップは、
前記出力情報に含まれる第１アクセス情報に基づいて行なわれる前記特定アクセスを受付ける第１アクセス受付ステップと、
前記特定アクセスと異なり前記特定プログラムに従わずに、前記第１アクセス情報とは異なる第２アクセス情報に基づいて行なわれる通常アクセスを受付ける第２アクセス受付ステップとを含み、
前記特典付与処理ステップは、前記第１アクセス受付ステップによる前記特定アクセスの受付があった場合に前記特典付与処理として前記特別特典を付与するとともに、前記第２アクセス受付ステップによる前記通常アクセスの受付があった場合に、前記特別特典を付与することなく、前記特典付与処理として前記特別特典と価値の異なる通常特典を付与し、
前記出力情報は、前記遊技機の表示部で表示され、前記携帯端末の前記出力情報取得手段に含まれる撮像装置で撮像可能であることを特徴とする。
【００２３】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【００２４】
（１０）  遊技機から出力される出力情報を取得する出力情報取得ステップ（たとえば、図２１のＳ１２３〜Ｓ１２５）と、
前記出力情報取得ステップにより取得された複数の前記出力情報各々の種類を特定可能な出力情報特定情報を記憶する出力情報記憶ステップ（たとえば、図２１のＳ１２６）と、
前記出力情報取得ステップによって前記出力情報が取得された場合に、複数種類の前記出力情報の組合せに応じて付与する特典を設定し、携帯端末から受信した複数の前記出力情報特定情報から特定される複数の前記出力情報の組合せに対して設定された特典を付与するための特典付与処理を行なう遊技用サーバへの、前記特典のうち特別特典を受けるための特定アクセスを行なうための前記携帯端末の処理手順を示す特定プログラムに従った前記特定アクセスに伴って前記出力情報記憶ステップにより記憶されている複数の前記出力情報特定情報を前記遊技用サーバに送信する送信ステップ（たとえば、図２１のＳ１３５、図２２のＳ４１３）とを含み、
前記送信ステップは、
前記出力情報に含まれる第１アクセス情報に基づいて前記遊技用サーバに前記特定アクセスを行なう第１アクセスステップと、
前記特定アクセスと異なり前記特定プログラムに従わずに行なわれる通常アクセスを、前記第１アクセス情報とは異なる第２アクセス情報に基づいて前記遊技用サーバに行なう第２アクセスステップとを含み、
前記第１アクセスステップによる前記特定アクセスがあった場合に、前記特典付与処理として行なわれる前記特別特典の付与に伴う当該特別特典を取得するための処理を行なうとともに、前記第２アクセスステップによる前記通常アクセスがあった場合に、前記特典付与処理として行なわれ前記特別特典と価値の異なる通常特典の付与に伴う当該通常特典を取得するための処理を行なう所定特典取得処理ステップをさらに含み、
前記出力情報は、前記遊技機の表示部で表示され、前記携帯端末に含まれる撮像装置で撮像可能であることを特徴とする。
【００２５】
このような構成によれば、携帯端末は、遊技機から出力される複数種類の出力情報の組合せに応じて特典を付与する遊技用サーバへのアクセスに伴って複数の出力情報特定情報を送信し、遊技者は、当該送信した複数の出力情報特定情報により特定される複数の出力情報の種類の組合せに対して設定された特典の付与を受けることができるので、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【図面の簡単な説明】
【００２６】
【図１】第１実施の形態における特典付与システムの構成の一例を示すシステム構成図である。
【図２】第１実施の形態における携帯端末の構成の一例を示すブロック図である。
【図３】第１実施の形態における遊技機メーカサーバの構成の一例を示すブロック図である。
【図４】第１実施の形態におけるパチンコ遊技機の構成の一例を示すブロック図である。
【図５】第１実施の形態における遊技機メーカサーバの記憶部に記憶される会員情報ＤＢを説明するための図である。
【図６】第１実施の形態における遊技機メーカサーバの記憶部に記憶されている各種ＤＢを示す図である。
【図７】（ａ）は、第１実施の形態における遊技機メーカサーバの記憶部に記憶される一般特典ＤＢを説明するための図であり、（ｂ）は、第１実施の形態における遊技機メーカサーバの記憶部に記憶される付与済特定情報ＤＢを説明するための図である。
【図８】第１実施の形態における遊技機メーカサーバの記憶部に記憶される特別特典ＤＢを説明するための図である。
【図９】第１実施の形態における携帯端末で実行されるウェブブラウザ処理および遊技機メーカサーバで実行されるアプリダウンロード処理それぞれの流れを示すフローチャートである。
【図１０】第１実施の形態における携帯端末の表示部に表示される第１の表示画面図である。
【図１１】第１実施の形態における携帯端末の表示部に表示される第２の表示画面図である。
【図１２】第１実施の形態におけるパチンコ遊技機の演出制御部で実行される２次元コード関連処理の流れを示すフローチャートである。
【図１３】第１実施の形態における携帯端末で実行される特典受取アプリの流れを示すフローチャートである。
【図１４】第１実施の形態における携帯端末の表示部に表示される第３の表示画面図である。
【図１５】第１実施の形態における遊技機メーカサーバで実行される特典付与処理の流れを示すフローチャートである。
【図１６】第１実施の形態における特別特典付与処理の流れを示すフローチャートである。
【図１７】第１実施の形態における携帯端末の表示部に表示される第４の表示画面図である。
【図１８】第１実施の形態における遊技機メーカサーバで実行される特典設定処理の流れを示すフローチャートである。
【図１９】第２実施の形態における携帯端末の記憶部に記憶に記憶される特別特典ＤＢを説明するための図である。
【図２０】第２実施の形態における携帯端末で実行されるウェブブラウザ処理および遊技機メーカサーバで実行されるアプリダウンロード処理それぞれの流れを示すフローチャートである。
【図２１】第２実施の形態における携帯端末で実行される特典受取アプリの流れを示すフローチャートである。
【図２２】第２実施の形態における特別特典要求処理の流れを示すフローチャートである。
【図２３】第２実施の形態における特別特典付与処理の流れを示すフローチャートである。
【図２４】第２実施の形態における携帯端末の表示部に表示される表示画面図である。
【図２５】第２実施の形態における特典設定処理の流れを示すフローチャートである。
【発明を実施するための形態】
【００２７】
以下に、本発明を実施するための最良の形態を図面に基づいて詳細に説明する。なお、以下の説明では、同一のまたは相当する部品には同一の符号を付しており、それらの名称および機能は同様であるので、それらの詳細な説明は繰返さない。
【００２８】
[第１実施の形態]
図１は、本発明に係る特典付与システム１０の構成の一例を示すシステム構成図である。図１を参照して、特典付与システム１０は、携帯端末１００と、遊技機メーカサーバ２００とを含む。
【００２９】
遊技機メーカサーバ２００および携帯端末キャリアサーバ５００は、それぞれ、インターネット９１０に接続される。携帯端末キャリアサーバ５００は、アンテナ５１０を用いて無線で、携帯端末１００と通信することが可能である。これにより、携帯端末１００および遊技機メーカサーバ２００は、通信することが可能である。
【００３０】
遊技場３０には、パチンコ遊技機７００およびスロットマシンなどが設置される。カードユニット６００は、パチンコ遊技機７００およびスロットマシンごとに設けられる。
【００３１】
携帯端末１００は、少なくとも、遊技機メーカサーバ２００にアクセスを行なって通信する前述の機能に加えて、パチンコ遊技機７００の変動表示装置７４５に表示された２次元コード１９１を取得する機能を有する。ここで、「サーバにアクセスする」とは、サーバに通信の要求をすることをいう。
【００３２】
さらに、携帯端末１００は、アプリケーションソフト実行機能、ウェブページ閲覧機能、および、電子メール機能を有する。また、携帯端末１００は、本実施の形態においては用いられない機能であるが、通話機能を有する。
【００３３】
図２は、本実施の形態における携帯端末１００の構成の一例を示すブロック図である。図２を参照して、携帯端末１００は、データ処理部１１０と、記憶部１２０と、データ入力部１３０と、表示部１４０と、音声入出力部１５０と、無線通信部１６０と、アンテナ１６１と、カメラ部１９０とを含む。
【００３４】
記憶部１２０は、ＲＯＭ（Read Only Memory）やフラッシュメモリなどの不揮発性メモリやＲＡＭ（Random Access Memory）などの揮発性メモリなどの半導体メモリで構成される。記憶部１２０は、携帯端末１００の各種機能をデータ処理部１１０に実行させるためのアプリケーションプログラムなどのプログラムやデータを記憶する。
【００３５】
データ入力部１３０は、電話番号や各種データなどの数字やアルファベットやその他の文字などを入力するためのダイヤルキーや十字操作キーやその他のファンクションキーで構成される。データ入力部１３０は、ユーザからデータの入力を受付けて、入力されたデータをデータ処理部１１０に受渡す。
【００３６】
表示部１４０は、液晶表示装置（Liquid Crystal Display、以下「ＬＣＤ」という）で構成される。なお、表示部１４０は、ＥＬ（Electro Luminescence）ディスプレイなど他の表示装置で構成されてもよい。表示部１４０は、データ処理部１１０から受けた文字データおよび画像データを表示する。
【００３７】
音声入出力部１５０は、マイクおよびスピーカで構成される。音声入出力部１５０は、外部からマイクに入力された音声を電気信号に変えて、データ処理部１１０に受渡し、データ処理部１１０からの電気信号を音声に変換して、スピーカで外部に出力する。
【００３８】
無線通信部１６０は、他の携帯端末またはサーバからアンテナ１６１で受信した信号をデータ処理部１１０に受渡し、データ処理部１１０から他の携帯端末またはサーバへ送信する信号をアンテナ１６１から出力させる。
【００３９】
カメラ部１９０は、２次元コード１９１などの被写体を撮像して、撮像された画像を画像データに変換して、変換された画像データをデータ処理部１１０に出力する。
【００４０】
データ処理部１１０は、マイクロプロセッサ（Micro Processing Unit、以下「ＭＰＵ
」という）で構成される。データ処理部１１０は、記憶部１２０に記憶されたアプリケーションプログラムなどのプログラムに従って、記憶部１２０、データ入力部１３０、無線通信部１６０、音声入出力部１５０、または、カメラ部１９０から入力されたデータを処理して、記憶部１２０、表示部１４０、無線通信部１６０、または、音声入出力部１５０に出力する。
【００４１】
なお、本実施の形態においては、携帯端末１００は、音声入出力部１５０を含んでも含まなくてもよい。
【００４２】
図３は、本実施の形態における遊技機メーカサーバ２００の構成の一例を示すブロック図である。図３を参照して、遊技機メーカサーバ２００は、データ処理部２１０と、記憶部２２０と、データ入力部２３０と、表示部２４０と、通信部２６０とを含む。
【００４３】
記憶部２２０は、ＲＯＭやフラッシュメモリなどの不揮発性メモリやＲＡＭなどの揮発性メモリなどの半導体メモリ、および、ハードディスクなどの外部記憶装置で構成される。記憶部２２０には、遊技機メーカサーバ２００の各種機能をデータ処理部２１０に実行させるためのプログラムやデータが記憶される。
【００４４】
データ入力部２３０は、キーボードおよびマウスなどの入力装置で構成される。データ入力部２３０は、遊技機メーカサーバ２００の管理者などのユーザからデータの入力を受付けて、入力されたデータをデータ処理部２１０に受渡す。
【００４５】
表示部２４０は、ＬＣＤで構成される。なお、表示部２４０は、ＣＲＴ（Cathode Ray Tube）ディスプレイやＥＬ（Electro Luminescence）ディスプレイなど他の表示装置で構成されてもよい。表示部２４０は、データ処理部２１０から受けた文字データおよび画像データを表示する。
【００４６】
通信部２６０は、携帯端末１００または他のサーバから、インターネット９１０または他のネットワークを介して受信したデータをデータ処理部２１０に受渡し、データ処理部２１０からインターネット９１０または他のネットワークを介して携帯端末１００または他のサーバに送信するデータを出力する。
【００４７】
データ処理部２１０は、ＭＰＵで構成される。データ処理部２１０は、記憶部２２０に記憶されたプログラムに従って、記憶部２２０、データ入力部２３０、または、通信部２６０から入力されたデータを処理して、記憶部２２０、表示部２４０、または、通信部２６０に出力する。
【００４８】
なお、携帯端末キャリアサーバ５００の構成は、図３で説明した遊技機メーカサーバ２００の構成と同様である。
【００４９】
図４は、本実施の形態におけるパチンコ遊技機７００の構成の一例を示すブロック図である。図４を参照して、パチンコ遊技機７００は、遊技媒体としての遊技球を用いて所定の遊技を行う遊技機である。図１に示したように、パチンコ遊技機７００には、額縁状に形成されたガラス扉枠、ガラス扉枠の下部表面に打球供給皿（上皿）、および、打球供給皿の右下部に遊技球を発射する打球操作ハンドル（操作ノブ）などが設けられる。ガラス扉枠の背面には、遊技盤が着脱可能に取り付けられる。なお、遊技盤は、それを構成する板状体と、その板状体に取り付けられた種々の部品とを含む構造体である。また、遊技盤の前面には遊技盤の表面に立設する打球レールによって囲まれた領域である遊技領域が形成される。
【００５０】
遊技領域の中央付近には、識別情報としての飾り図柄を可変表示（変動表示）する複数の可変表示部を含む変動表示装置７４５が設けられている。変動表示装置７４５には、たとえば「左」、「中」、「右」の３つの可変表示部（図柄表示エリア）がある。
【００５１】
変動表示装置７４５は、遊技の演出を行う演出装置であり、液晶表示装置（ＬＣＤ）によって構成される。たとえば、変動表示装置９の３つの可変表示部に表示される飾り図柄として、「０」〜「９」の数字の図柄を用いている。そして、変動表示装置９の表示領域各々にて飾り図柄を「０」から順に表示することにより飾り図柄の可変表示を実行する。
【００５２】
遊技球が遊技領域に発射され、遊技領域を流下して、始動入賞口に入賞すると、各種スイッチ７３０の１つである始動口スイッチが、入賞した遊技球を検出し、検出信号を遊技制御部７１０に出力する。遊技制御部７１０は、始動口スイッチからの検出信号を受けたことを条件として、乱数を用いて大当り遊技状態を発生させるか否かを決定し、その決定結果に基づいた演出制御コマンドを演出制御部７４０に出力する。
【００５３】
演出制御部７４０は、遊技制御部７１０から受けた演出制御コマンドに従って、特別図柄を可変表示するように制御するとともに、飾り図柄を可変表示するよう変動表示装置７４５を制御する。そして、遊技制御部７１０によって大当り遊技状態を発生させることが事前に決定されている旨の演出制御コマンドを受けた場合、演出制御部７４０は、特別図柄の大当り図柄（特定表示結果）を停止表示させるように制御するとともに、飾り図柄の大当り図柄を停止表示させるよう変動表示装置７４５を制御する。
【００５４】
そして、大当り図柄が停止表示されると、遊技制御部７１０は、大当り遊技状態（特定遊技状態）に移行させる。大当り遊技状態において、遊技制御部７１０は、大入賞口および開閉板によって構成される特別可変入賞装置を、各種アクチュエータ７５０の１つであるソレノイドを動作させて開閉板を開状態にすることで遊技球が入賞可能な開放状態にするように制御し、所定回数、特別可変入賞装置を開放状態と遊技球が入賞不可能な閉塞状態とに変化させることでラウンド継続させる。
【００５５】
始動入賞口および大入賞口などの入賞口への遊技球の入賞に応じて、それぞれ、始動口スイッチおよびカウントスイッチなどの各種スイッチ７３０によって出力された検出信号を受けると、遊技制御部７１０は、入賞口に応じた設定した賞球個数を示す払出制御コマンドを払出制御部７６０に出力する。
【００５６】
遊技制御部７１０から払出制御コマンドを受けると、払出制御部７６０は、当該払出制御コマンドに応じて球払出装置７６５を駆動して賞球を打球供給皿に払出す。
【００５７】
カードユニット６００は、パチンコ遊技機７００に対応して設けられる。カードユニット６００は、遊技者からプリペイドカードを受付けて、パチンコ遊技機７００に設けられた球貸ボタンの操作に応じて、プリペイドカードに記録されたプリペイドデータで示される価値のうちから所定額相当（たとえば、５００円相当）の価値を減算して、減算した価値に見合った遊技球を払出すことを指示する球貸操作信号をパチンコ遊技機７００に送信する。
【００５８】
カードユニット６００から球貸操作信号を受けると、払出制御部７６０は、当該球貸操作信号に応じて球払出装置７６５を駆動して貸球を打球供給皿に払出す。
【００５９】
カードユニット６００は、遊技者から現金を受付けると、プリペイドカードに受付けた現金で示される価値を追加記録する。カードユニット６００は、パチンコ遊技機７００に設けられた返却ボタンの操作に応じて、プリペイドカードを排出する。
【００６０】
図５は、本実施の形態における遊技機メーカサーバ２００の記憶部２２０に記憶される会員情報ＤＢ（Database）を説明するための図である。本実施の形態においては、遊技者は、特別特典を受取るための特典受取アプリおよび復号アプリをダウンロードするために、会員登録する必要がある。特別特典とは、遊技機メーカサーバ２００の非公開ＵＲＬへのアクセスで付与される特典であり、図７で後述する一般特典とは異なり、たとえば、特別な待受け画像、着信音楽、買物ポイントおよび記念品などである。たとえば、遊技者は、買い物ポイント１０ｐｔを使用してストラップと交換できたり、また、買い物ポイント１００ｐｔを使用してプレミアム動画を受け取ったりできる。
【００６１】
ここで、特典受取アプリは、特別特典を受取るための遊技機メーカサーバ２００の非公開ＵＲＬへのアクセスを行なうための携帯端末１００の処理手順を示すアプリケーションプログラムである。また、復号アプリは、機種ごとに暗号化された非公開ＵＲＬを復号するための携帯端末１００の処理手順を示すアプリケーションプログラムである。なお、復号アプリには、復号アプリ自体に加えて、機種ごとの非公開ＵＲＬを暗号化した暗号化キーに対応する復号キーが含まれる。
【００６２】
図５を参照して、会員情報ＤＢには、遊技者の会員ＩＤに対応付けて、遊技者の氏名、性別、生年月日および会員のメールアドレスが記憶される。後述する遊技機の新機種が発表されたときにその新機種の復号プログラムがダウンロード可能となった旨を会員の携帯端末に送信するために、このメールアドレスが利用される。
【００６３】
たとえば、会員ＩＤが「０００１」の遊技者については、氏名が「佐藤太郎」、性別が「男」、生年月日が「１９７０年１１月２２日」、メールアドレスがsato@abcであることが会員情報ＤＢによって示されている。
【００６４】
また、会員ＩＤが「０００２」の遊技者については、氏名が「鈴木花子」、性別が「女」、生年月日が「１９７１年８月４日」、メールアドレスがsato@defであることが会員情報ＤＢによって示されている。
【００６５】
図６は、遊技機メーカサーバ２００の記憶部２２０に記憶されているＤＢを示す図である。記憶部２２０には、一般特典ＤＢと特別特典ＤＢとが記憶されている。一般特典ＤＢは、復号アプリを受信記憶していない携帯端末１００に対して付与するための一般特典を記憶しているＤＢである。特別特典ＤＢは、復号アプリをダウンロードした携帯端末１００が取得可能な特典を記憶しているＤＢである。
【００６６】
この特別特典ＤＢは、特典ＤＢと組合せ特典ＤＢと取得特典ＤＢとの３種類のＤＢを含んでいる。
【００６７】
一般特典ＤＢと特別特典ＤＢ中の特典ＤＢおよび組合せ特典ＤＢとは、遊技機メーカサーバ２００のデータ入力部２３０から入力されて後述する図１８のＳ３０２により記憶部２２０に設定記憶させる。
【００６８】
図７（ａ）は、本実施の形態における遊技機メーカサーバ２００の記憶部２２０に記憶される一般特典ＤＢを説明するための図である。一般特典とは、遊技機メーカサーバ２００の公開ＵＲＬへのアクセスで付与される特典であり、前述した特別特典と異なり、たとえば、携帯端末１００の着信メロディなどである。一般特典は、公開ＵＲＬごとにそれぞれ用意される。
【００６９】
なお、特別特典は、会員登録をして特典受取アプリおよび復号アプリをダウンロードしないと取得することができないので、一般特典と比較して、遊技者が取得する手間が掛かる。このため、取得したいといったインセンティブを遊技者に与えるために、特別特典は、一般特典に対して、遊技者が取得したいと思うような価値の高い特典とする必要がある。
【００７０】
たとえば、一般特典の着信メロディが、１曲の音楽の一部を単音のメロディとして普通の音質でデジタルデータ化したものであれば、特別特典の着信音楽は、１曲すべてを複音で高音質にデジタルデータ化した音楽とする。
【００７１】
また、待受け画像、着信メロディおよび着信音楽などの著作物のコンテンツなどの無体物と異なり、有体物を購入することに用いることができる買物ポイント、および、有体物である記念品などが、特別特典には含まれるが、一般特典には含まれない。
【００７２】
図７（ａ）を参照して、一般特典ＤＢには、各公開ＵＲＬに対して一意に割振られる特典Ｎｏ．に対応させて、公開ＵＲＬ、および、その公開ＵＲＬにアクセスすることで取得できる特典の内容が記憶される。ここで、「ＵＲＬにアクセスする」とは、ＵＲＬで示される処理の要求をすることである。
【００７３】
たとえば、特典Ｎｏ．１１０に対応付けて、公開ＵＲＬ「http://sankyo-fever.co.jp/mobile/kokai1」、および、特典「着信メロディａ」が記憶される。同様に、特典Ｎｏ．
１２０および特典Ｎｏ．１９０に対応付けて、それぞれ、公開ＵＲＬ「http://sankyo-fever.co.jp/mobile/kokai2」および「http://sankyo-fever.co.jp/mobile/kokai9」、ならびに、特典「着信メロディｂ」および「着信メロディｚ」が記憶される。
【００７４】
図７（ｂ）は、本実施の形態における遊技機メーカサーバ２００の記憶部２２０に記憶される付与済特定情報ＤＢを説明するための図である。図７（ｂ）を参照して、付与済特定情報ＤＢには、非公開ＵＲＬに対応付けて、当該非公開ＵＲＬに行なわれたアクセスに伴って送信される情報に含まれる遊技機ＩＤおよび取得日時が記憶される。
【００７５】
たとえば、非公開ＵＲＬ「http://sankyo-fever.co.jp/mobile/hikokai11」に対応付けて、遊技機ＩＤおよび取得日時の組合せ「１１１１１１１」および「１００２１０３０」、ならびに、「１２３４５６７」および「１００９１５２０」が記憶される。
【００７６】
図８は、前述した特別特典ＤＢに含まれる３種類のＤＢの具体的態様を示した図であり、（ａ）は特典ＤＢ、（ｂ）は組合せ特典ＤＢ、（ｃ）は取得特典ＤＢを示している。
【００７７】
図８（ａ）を参照して、特典ＤＢは、パチンコ遊技機７００から出力される２次元コード１９１に含まれている暗号化ＵＲＬを復号したＵＲＬに対応して付与される特典と、その特典の種別ＩＤとが、データ入力部２３０から入力されて記憶部２２０に設定記憶されている。
【００７８】
機種αのパチンコ遊技機７００からは、ｈｔｔｐ：○○○、ｈｔｔｐ：×××、ｈｔｔｐ：△△△、ｈｔｔｐ：○×○の４種類のＵＲＬを暗号化したものが出力される。また、機種βのパチンコ遊技機７００からは、ｈｔｔｐ：○××、ｈｔｔｐ：○△○…のＵＲＬを暗号化したものが出力される。特典ＤＢは、パチンコ遊技機７００の機種ごとに、その機種から出力可能な暗号化ＵＲＬを復号したものを記憶している。
【００７９】
そして、その各ＵＲＬに対応して遊技者に付与される特典の内容と、その特典の種別を表わす特典種別ＩＤとが対応付けて記憶されている。たとえば、機種αのパチンコ遊技機７００から出力された復号されたＵＲＬであるｈｔｔｐ：×××の場合には、キャラクタＹの待受け画像が付与される特典として記憶されており、その特典の種別を表わす特典種別ＩＤとしてＢが記憶されている。
【００８０】
遊技者が機種αのパチンコ遊技機７００で遊技を行ない、まず２次元コード１９１を携帯端末で撮影してそれに含まれている暗号化ＵＲＬを復号化したｈｔｔｐ：○○○にアクセスした場合には、キャラクタＸの待受け画像が特典として携帯端末１００に返信され、また機種αのパチンコ遊技機７００で表示された２次元コード１９１を携帯端末で撮影してそれに含まれている暗号化ＵＲＬを復号化したｈｔｔｐ：×××にアクセスした場合には、キャラクタＹの待受け画像の特典が返信されてくる。
【００８１】
前述のＵＲＬには、遊技機メーカサーバ２００を特定するサーバ名のほか、ボード番号、フォルダ名、ファイル名が含まれており、サーバ名で遊技機メーカサーバ２００が特定されて、その遊技機メーカサーバ２００にボード番号、フォルダ名、ファイル名が送信されて、特典種別ＩＤおよび特典が特定される。
【００８２】
また、付与される特典は、前述のキャラクタＸやＹ単独の待受け画像に限らず、前述の各ＵＲＬの組合せとそのＵＲＬの取得順序によって、予め定められた組合せ特典が成立した場合には、その組合せ特典も遊技者に付与される。
【００８３】
図８（ｂ）は、その組合せ特典を遊技者に付与するためのＤＢである。特典種別ＩＤの組合せとその取得順序とを記憶するエリアと、それに対応して成立する組合せ特典を記憶するエリアとを有し、特典種別ＩＤおよび取得順序のデータと組合せ特典の内容のデータとが対応付けられて記憶されている。
【００８４】
具体的には、データ入力部２３０から、特典種別ＩＤとしてＡ,Ｂの組合せとその取得
順序であるＡが１、Ｂが２のデータが入力され、それに対応する組合せ特典として「キャラクタＸ,Ｙ合体待受け画面」が入力されて、その入力データが組合せ特典ＤＢに設定記
憶される。同様に、Ｂ,Ａの組合せおよびその取得順序と組合せ特典の内容、Ｃ,Ｄの組合せおよびその取得順序と組合せ特典の内容が、順次入力設定される。
【００８５】
組合せ特典ＤＢは、このような通常設定の他に、記念品の組合せ特典に関する特別設定がなされる。具体的には、データ入力部２３０から、特別設定である旨を入力した後、特典種別ＩＤとしてＡ,Ｂ,Ｃ,Ｄの組合せとそれに対応する組合せ特典としての記念品を入
力して、その入力データが組合せ特典ＤＢに設定記憶される。本実施の形態においては、Ａ,Ｂ,Ｃ,Ｄの取得順序は設定しないが、設定するようにしてもよい。また、通常設定の
場合の特典種別ＩＤの組合せの数（図８では２つ）よりも多い特典種別ＩＤの組合せ（図８では４つ）を設定し、特別設定された記念品の組合せ特典の方が、通常設定された組合せ特典よりも高価な特典を設定するのが望ましい。
【００８６】
このように設定された組合せ特典ＤＢにおいて、たとえば、特典種別ＩＤとして、ＡとＢとが取得され、その取得順序が１番目にＡ、２番目にＢであった場合には、組合せ特典ＤＢを参照して、キャラクタＸとキャラクタＹとの合体待受け画像が組合せ特典として検索される。その検索された組合せ特典が携帯端末１００へ送信される。
【００８７】
また、たとえば、どのような取得順序であっても最終的にＡ,Ｂ,Ｃ,Ｄの組合せの特典
種別ＩＤが取得された場合には、組合せ特典ＤＢを参照して、記念品が組合せ特典として検索される。その検索された記念品が遊技者に配送される。
【００８８】
さらに、組合せ特典ＤＢには、機種の異なった遊技機で取得した特典種別の組合せに対応した組合せ特典も設定記憶されている。たとえば機種βの遊技機でまず特典種別ＩＤがＥの特典を取得し、次に機種αの遊技機で特典種別ＩＤがＡの特典を取得した場合には、組合せ特典ＤＢを参照して、キャラクタＸとキャラクタＰとの対決待受け画像が組合せ特典として検索され、携帯端末１００へ送信される。
【００８９】
図８（ｃ）に示す取得特典ＤＢは、各会員ＩＤに対応付けて、当該会員が取得した特典の特典種別ＩＤである取得ＩＤとその取得順序と取得済みＩＤの各データが記憶されている。取得ＩＤは、図８（ｂ）の組合せ特典ＤＢにおける通常設定された組合せ得点を取得するために記憶されるデータである。取得済みＩＤは、図８（ｂ）の組合せ特典ＤＢにおける特別設定された記念品の組合せ特典を取得するために記憶されるデータである。前述の通常設定により設定された組合せ特典が成立して遊技者に付与されたときに、その成立した取得ＩＤの組合せが無効化（たとえば消去）されるように構成されている。これは、特典付与済みの取得ＩＤの組合せを再度遊技機メーカサーバ２００に送信して重複して特典を取得する不正行為を防止するためである。
【００９０】
しかし、前述の特別設定により設定された記念品の組合せ特典の場合は、通常設定に比べてより多くの取得ＩＤの組合せ（図８ではＡ,Ｂ,Ｃ,Ｄ）を要する。ゆえに、通常設定
により設定された組合せ特典が成立して遊技者に付与されることによってその成立した取得ＩＤ（特典付与済み取得ＩＤ）の組合せ（図８ではたとえばＡ,Ｂ）が無効化（たとえ
ば消去）された後においても、特別設定により設定された記念品の組合せ特典の成立を判定するために引続き特典付与済み取得ＩＤを別エリアに記憶させておかなければならない。そこで、取得特典ＤＢに「取得済みＩＤ」のエリアを設け、特典付与済みの取得ＩＤを引続き記憶させている。特別設定により設定された記念品の組合せ特典を付与した段階で、この「取得済みＩＤ」の記憶データが無効化（たとえば消去）される。
【００９１】
取得特典ＤＢを参照して、たとえば１１１の会員が、Ａの特典種別ＩＤの特典を取得し、その取得順序が初回であった場合には、会員ＩＤが「１１１」に対応するエリアに、取得ＩＤとして「Ａ」、順序として「１」、取得済みＩＤとして「Ａ」が記憶される。
【００９２】
一方、たとえば会員ＩＤ２２２の会員の場合には、以前特典種別ＩＤがＢの特典を取得した後次にＡの特典を取得しており、その段階で組合せ特典ＤＢを参照して「キャラクタＸ，Ｙ対決待受け画像の組合せ特典」が成立してその組合せ特典が付与されるために、その段階で特典ＩＤの記憶データおよび順序のエリアの記憶データが消去される。しかし、取得済みＩＤのエリアのデータは消去されず、Ｂ，Ａのデータが記憶されたままとなっている。この状態で、会員ＩＤが２２２の会員がさらに、特典種別ＩＤのＢの特典を取得し、次にＤの特典を取得して現在に至っている。よって、会員ＩＤが２２２に対応付けられて、取得ＩＤのエリアにＢとＤとが記憶され、順序のエリアに１と２とが記憶される。そして、取得済みＩＤのエリアには、本来、Ｂ，Ａ，Ｂ，Ｄのデータが記憶されることとなるが、Ｂを重複して記憶させる必要がないために、重複する特典種別ＩＤが存在する場合には、重複記憶をしないように制御される。その結果、取得済みＩＤのエリアには、Ｂ，Ａ，Ｄの特典種別ＩＤが記憶されることとなる。この状態で、会員ＩＤが２２２の会員が仮に特典種別ＩＤがＣの特典を取得した場合には、Ｂ，Ａ，Ｄ，Ｃの特典種別ＩＤが揃うこととなるために、組合せ特典ＤＢに記憶されている記念品の組合せ特典が成立して、会員ＩＤ２２２の会員にその記念品が配送されることとなる。この記念品の組合せ特典が成立した段階で、会員ＩＤが２２２に対応して記憶されている取得済みＩＤのデータが消去されることとなる。
【００９３】
図９は、本実施の形態における携帯端末１００で実行されるウェブブラウザ処理および遊技機メーカサーバ２００で実行されるアプリダウンロード処理それぞれの流れを示すフローチャートである。図９を参照して、まず、携帯端末１００において、ステップＳ（以下単に「Ｓ」という）１０１で、携帯端末１００のデータ処理部１１０は、会員登録ページのＵＲＬの指定が受付けられたかを判断する。ＵＲＬの指定は、他のウェブページまたは電子メールなどに添付されたリンクが選択されることによってなされたり、携帯端末１００に直接ＵＲＬが入力されることによってなされたりする。
【００９４】
会員登録ページのＵＲＬの指定が受付けられていないと判断した場合（Ｓ１０１でＮＯと判断した場合）、データ処理部１１０は、実行する処理をＳ１０５以降の処理に進める。
【００９５】
一方、会員登録ページのＵＲＬの指定が受付けられたと判断した場合（Ｓ１０１でＹＥＳと判断した場合）、Ｓ１０２で、データ処理部１１０は、指定されたＵＲＬで示される遊技機メーカサーバ２００の会員登録ページにアクセスをするよう無線通信部１６０を制御する。ここで、「ウェブページにアクセスする」とは、ウェブページの送信の要求をすることをいう。
【００９６】
遊技機メーカサーバ２００においては、Ｓ２０１で、遊技機メーカサーバ２００のデータ処理部２１０は、会員登録ページにアクセスが有ったかを判断する。
【００９７】
会員登録ページへのアクセスが無いと判断した場合（Ｓ２０１でＮＯと判断した場合）、データ処理部２１０は、実行する処理をＳ２０５以降の処理に進める。
【００９８】
一方、会員登録ページへのアクセスが有ったと判断した場合（Ｓ２０１でＹＥＳと判断した場合）、Ｓ２０２で、データ処理部２１０は、アクセスしてきた携帯端末１００に、会員登録ページを送信するよう通信部２６０を制御する。
【００９９】
ここで、「ページを送信する」とは、ＨＴＭＬ（HyperText Markup Language）などの
マークアップ言語で記述されたウェブページを表示するためのハイパーテキストデータを送信することである。
【０１００】
携帯端末１００においては、Ｓ１０３で、データ処理部１１０は、遊技機メーカサーバ２００から会員登録ページを受信するよう無線通信部１６０を制御し、受信した会員登録ページを表示するよう表示部１４０を制御する。
【０１０１】
図１０は、本実施の形態における携帯端末１００の表示部１４０に表示される第１の表示画面図である。図１０（ａ）を参照して、図９のＳ１０３で携帯端末１００の表示部１４０に表示される会員登録ページには、最上段に、このウェブページの名称である「会員登録ページ」、以下の段に、氏名入力欄、性別選択欄、生年月日入力欄、および、入力された内容を遊技機メーカサーバ２００に送信するために操作される「登録」ボタンが表示される。
【０１０２】
遊技者は、携帯端末１００のデータ入力部１３０を用いて、この会員登録ページに、必要事項を入力する。ここでは、氏名として「佐藤太郎」、性別として「男」、生年月日として「１９７０／１１／１１」、メールアドレスとして「sato@abc」が入力されている。
【０１０３】
図９に戻って、携帯端末１００において、遊技者によって必要事項が入力され、「登録」ボタンが操作されると、Ｓ１０４で、データ処理部１１０は、会員登録ページに会員登録のために入力された必要事項の情報を、遊技機メーカサーバ２００に送信するよう無線通信部１６０を制御する。
【０１０４】
遊技機メーカサーバ２００においては、Ｓ２０３で、データ処理部２１０は、携帯端末１００から、会員登録の入力情報を受信するよう通信部２６０を制御する。
【０１０５】
そして、Ｓ２０４で、データ処理部２１０は、新たに会員ＩＤを発行し、発行した会員ＩＤ、ならびに、受信した会員登録の入力情報に基づく氏名、性別および生年月日を、図５で説明した記憶部２２０の会員情報ＤＢに登録する。
【０１０６】
次に、Ｓ２０５で、データ処理部２１０は、記憶部２２０に記憶された特典受取アプリを読出して、携帯端末１００に送信するよう通信部２６０を制御する。
【０１０７】
携帯端末１００においては、Ｓ１０５で、データ処理部１１０は、遊技機メーカサーバ２００から特典受取アプリを受信するよう無線通信部１６０を制御し、受信した特典受取アプリを記憶部１２０に記憶させる。
【０１０８】
図１０に進んで、図１０（ｂ）で示される特典受取アプリダウンロードページは、特典受取アプリの受信前に携帯端末１００の表示部１４０に表示される。図１０（ｂ）を参照して、特典受取アプリダウンロードページには、最上段に、このウェブページの名称である「特典受取アプリダウンロードページ」、以下の段に、特典を受取るためには特典受取アプリが必要である旨の文章、ダウンロードを開始するために「開始」ボタンの操作を促すための文章、および、特典受取アプリのダウンロードを開始させるための「開始」ボタンが表示される。
【０１０９】
「開始」ボタンが遊技者によって操作されると、携帯端末１００において、特典受取アプリの受信が開始される。そして、特典受取アプリの受信後に、図１０（ｃ）で示される特典受取アプリダウンロードページが、携帯端末１００の表示部１４０に表示される。
【０１１０】
図１０（ｃ）を参照して、特典受取アプリダウンロードページには、最上段に、このウェブページの名称である「特典受取アプリダウンロードページ」、以下の段に、特典受取アプリのダウンロードが完了した旨、特典受取アプリを起動して遊技機に表示される２次元コード１９１を読取ると特典を受取ることができる旨、および、特典受取アプリのダウンロードのための処理を終了させるための「ＯＫ」ボタンが表示される。
【０１１１】
図９に戻って、携帯端末１００において、ステップ１１１で、遊技機機種選択ページのＵＲＬの指定が受付けられたかを判断する。遊技機機種選択ページのＵＲＬの指定が受付けられていないと判断した場合（Ｓ１１１でＮＯと判断した場合）、データ処理部１１０は、実行する処理をＳ１１３以降の処理に進める。
【０１１２】
一方、遊技機機種選択ページのＵＲＬの指定が受付けられたと判断した場合（Ｓ１１１でＹＥＳと判断した場合）、Ｓ１１２で、データ処理部１１０は、指定されたＵＲＬで示される遊技機メーカサーバ２００の遊技機機種選択ページにアクセスするよう無線通信部１６０を制御する。
【０１１３】
遊技機メーカサーバ２００においては、Ｓ２１１で、データ処理部２１０は、遊技機機種選択ページにアクセスが有ったかを判断する。遊技機機種選択ページにアクセスが無いと判断した場合（Ｓ２１１でＮＯと判断した場合）、データ処理部２１０は、実行する処理をＳ２１２以降の処理に進める。
【０１１４】
一方、遊技機機種選択ページへのアクセスが有ったと判断した場合（Ｓ２１１でＹＥＳと判断した場合）、Ｓ２１２で、データ処理部２１０は、アクセスしてきた携帯端末１００に、遊技機機種選択ページを送信するよう通信部２６０を制御する。
【０１１５】
携帯端末１００においては、Ｓ１１３で、データ処理部１１０は、遊技機メーカサーバ２００から遊技機機種選択ページを受信するよう無線通信部１６０を制御し、受信した遊技機機種選択ページを表示するよう表示部１４０を制御する。
【０１１６】
図１１は、本実施の形態における携帯端末１００の表示部１４０に表示される第２の表示画面図である。図１１（ａ）を参照して、図９のＳ１１３で携帯端末１００の表示部１４０に表示される遊技機機種選択ページには、最上段に、このウェブページの名称である「遊技機機種選択ページ」、以下の段に、遊技機の情報を取得したい機種の選択を遊技者に促す旨の文章、「機種Ａ」を選択するためのボタン、「機種Ｂ」を選択するためのボタン、および、「機種Ｃ」を選択するためのボタンが表示される。
【０１１７】
図９に戻って、携帯端末１００において、Ｓ１１１で、データ処理部１１０は、遊技者の所望の機種の遊技機機種情報ページのＵＲＬが指定されたか否かを判断する。遊技機機種情報ページのＵＲＬが指定されていないと判断した場合（Ｓ１１１でＮＯと判断した場合）、データ処理部１１０は、実行する処理をＳ１１６以降の処理に進める。
【０１１８】
一方、図１１（ａ）の遊技機機種選択ページで、遊技者によって所望の機種のボタンが操作されて、当該機種の遊技機機種情報ページのＵＲＬの指定が受付けられたと判断した場合（Ｓ１１１でＹＥＳと判断した場合）、Ｓ１１２で、データ処理部１１０は、指定されたＵＲＬで示される遊技機メーカサーバ２００の当該機種の遊技機機種情報ページにアクセスをするよう無線通信部１６０を制御する。
【０１１９】
遊技機メーカサーバ２００においては、Ｓ２１１で、データ処理部２１０は、いずれかの機種の遊技機機種情報ページにアクセスが有ったかを判断する。
【０１２０】
いずれの機種の遊技機機種情報ページへのアクセスも無いと判断した場合（Ｓ２１１でＮＯと判断した場合）、データ処理部２１０は、実行する処理をＳ２１２以降の処理に進める。
【０１２１】
一方、いずれかの機種の遊技機機種情報ページへのアクセスが有ったと判断した場合（Ｓ２１１でＹＥＳと判断した場合）、Ｓ２１２で、データ処理部２１０は、アクセスしてきた携帯端末１００に、当該機種の遊技機機種情報ページを送信するよう通信部２６０を制御する。
【０１２２】
携帯端末１００においては、Ｓ１１３で、データ処理部１１０は、遊技機メーカサーバ２００から遊技機機種情報ページを受信するよう無線通信部１６０を制御し、受信した遊技機機種情報ページを表示するよう表示部１４０を制御する。
【０１２３】
図１１に進んで、図１１（ｂ）を参照して、図９のＳ１１６で携帯端末１００の表示部１４０に表示される遊技機機種情報ページには、最上段に、このウェブページの名称である「遊技機機種情報ページ」、以下の段に、当該ページの機種の名称，特徴，大当り確率などの機種に関する情報、当該機種に対応する復号アプリのダウンロードを確認する旨の文章、および、当該機種の復号アプリのダウンロードを開始するための「はい」ボタンが表示される。
【０１２４】
図９に戻って、携帯端末１００において、Ｓ１１７で、遊技者の所望機種の復号アプリＤＬ（download）ページのＵＲＬの指定が受付けられたかを判断する。復号アプリＤＬページのＵＲＬの指定が受付けられていないと判断した場合（Ｓ１１７でＮＯと判断した場合）、データ処理部１１０は、実行する処理をＳ１１９以降の処理に進める。
【０１２５】
一方、図１１（ｂ）の遊技機機種情報ページで、遊技者によって「はい」ボタンが操作されて、復号アプリＤＬページのＵＲＬの指定が受付けられたと判断した場合（Ｓ１１７でＹＥＳと判断した場合）、Ｓ１１８で、データ処理部１１０は、指定されたＵＲＬで示される遊技機メーカサーバ２００の復号アプリＤＬページにアクセスするよう無線通信部１６０を制御する。
【０１２６】
遊技機メーカサーバ２００においては、Ｓ２１５で、データ処理部２１０は、いずれかの機種の復号アプリＤＬページにアクセスが有ったかを判断する。
【０１２７】
いずれの機種の復号アプリＤＬページへのアクセスも無いと判断した場合（Ｓ２１５でＮＯと判断した場合）、データ処理部２１０は、実行する処理をＳ２１６以降の処理に進める。
【０１２８】
一方、いずれかの機種の復号アプリＤＬページへのアクセスが有ったと判断した場合（Ｓ２１５でＹＥＳと判断した場合）、Ｓ２１６で、データ処理部２１０は、アクセスしてきた携帯端末１００に、当該機種に対応する復号アプリを送信するよう通信部２６０を制御する。
【０１２９】
ここで、すでに他の機種の復号アプリが携帯端末１００に送信済である場合は、当該機種に対応する差分で復号アプリを更新するための情報を送信する。前述したように、本実施の形態においては、復号アプリには、復号アプリ自体に加えて、機種ごとの非公開ＵＲＬを暗号化した暗号化キーに対応する復号キーが含まれるので、ここでの差分は、当該機種に対応する復号キーを復号アプリに加えるための情報である。
【０１３０】
携帯端末１００においては、Ｓ１１９で、データ処理部１１０は、遊技機メーカサーバ２００から復号アプリを受信するよう無線通信部１６０を制御し、受信した復号アプリを記憶部１２０に記憶させる。
【０１３１】
図１１に進んで、復号アプリの受信後に、図１１（ｃ）で示されるウェブページが、携帯端末１００の表示部１４０に表示される。図１１（ｃ）を参照して、このウェブページには、所望の機種に対応する復号アプリのＤＬが完了した旨の文章、特典受取アプリを起動して、当該機種に表示される２次元コード１９１を読取ると、ダウンロードした復号アプリで非公開ＵＲＬが復号されて特別特典が受取れる旨の文章、および、復号アプリのダウンロードのための処理を終了させるための「ＯＫ」ボタンが表示される。
【０１３２】
図１２は、本実施の形態におけるパチンコ遊技機７００の演出制御部７４０で実行される２次元コード関連処理の流れを示すフローチャートである。この２次元コード関連処理は、演出制御部７４０によって行なわれるパチンコ遊技機７００における変動表示装置７４５およびスピーカなどでの演出を制御するための処理のサブルーチンとして実行される処理である。
【０１３３】
図１２を参照して、パチンコ遊技機７００において、Ｓ７０１で、演出制御部７４０は、遊技制御部７１０からのコマンドに基づいて、大当り遊技状態が終了したか否かを判断する。大当り遊技状態が終了していないと判断した場合（Ｓ７０１でＮＯと判断した場合）、この２次元コード関連処理が終了する。
【０１３４】
一方、大当り遊技状態が終了したと判断した場合（Ｓ７０１でＹＥＳと判断した場合）、Ｓ７０２で、遊技制御部７１０からのコマンドに基づいて、大当り遊技状態が３回連続で発生する３連チャンが終了したか否かを判断する。３連チャンが終了していないと判断した場合（Ｓ７０４でＮＯと判断した場合）、演出制御部７４０は、Ｓ７０３により５連チャンが終了したか否か判定する。５連チャンが終了していない場合には、Ｓ７０４で、演出制御部７４０は、図１のパチンコ遊技機７００の変動表示装置７４５で示すように、通常の大当り終了時の２次元コード１９１を、所定時間（たとえば、１分間）、表示するよう変動表示装置７４５を制御する。
【０１３５】
この２次元コード１９１は、パチンコ遊技機７００の機種に対応して生成され演出制御部７４０のＲＯＭに予め記憶される。また、この２次元コード１９１は、公開ＵＲＬ、暗号化非公開ＵＲＬ、当該機種の機種ＩＤ、および、当該パチンコ遊技機７００に対して一意に割振られる遊技機ＩＤを含む情報がコード化された画像である。
【０１３６】
一方、３連チャンが終了したと判断した場合（Ｓ７０２でＹＥＳと判断した場合）、Ｓ７０５で、演出制御部７４０は、３連チャン終了時の２次元コード１９１を、所定時間（たとえば、１分間）、表示するよう変動表示装置７４５を制御する。
【０１３７】
また、５連チャンが終了したと判断した場合には（Ｓ７０３でＹＥＳと判断した場合には）、Ｓ７０６で、演出制御部７４０は、５連チャン終了時の２次元コード１９１を、所定時間（たとえば、１分間）、表示するよう変動表示装置７４５を制御する。
【０１３８】
図１３は、本実施の形態における携帯端末１００で実行される特典受取アプリの流れを示すフローチャートである。図１３を参照して、携帯端末１００において、特典受取アプリが起動されると、まず、Ｓ１２１で、データ処理部１１０は、メニュー画面を表示するよう表示部１４０を制御する。
【０１３９】
図１４は、本実施の形態における携帯端末１００の表示部１４０に表示される第３の表示画面図である。図１４（ａ）を参照して、図１３のＳ１２１で携帯端末１００の表示部１４０に表示されるメニュー画面には、最上段に、このアプリケーションプログラムの名称である「特典受取アプリ」、以下の段に、メニューとして、２次元コードの読取りを開始するための「１．２次元コード読取」リンク、特典の受取りを開始するための「２．特典受取」リンク、特典受取アプリを終了させるための「３．終了」リンク、および、いずれかのリンクの選択を促す旨の文章が表示される。
【０１４０】
図１３に戻って、携帯端末１００において、Ｓ１２２で、データ処理部１１０は、図１４（ａ）のメニュー画面で、遊技者によって「２次元コード読取」リンクが操作されることによって、２次元コードの読取りを開始することが選択されたか否かを判断する。２次元コード読取が選択されていないと判断した場合（Ｓ１２２でＮＯと判断した場合）、データ処理部１１０は、実行する処理をＳ１３１の処理に進める。
【０１４１】
一方、２次元コード読取が選択されたと判断した場合（Ｓ１２２でＹＥＳと判断した場合）、Ｓ１２３で、データ処理部１１０は、カメラ機能を起動させて、カメラ部１９０で撮影されている画像を表示するよう表示部１４０を制御する。
【０１４２】
図１４に進んで、図１４（ｂ）を参照して、特典受取アプリの２次元コード読取中の画面には、最上段に、このアプリケーションプログラムの名称である「特典受取アプリ」、以下の段に、２次元コード読取中である旨の文章、および、カメラ部１９０で撮影されている画像が表示される。
【０１４３】
図１３に戻って、Ｓ１２４で、データ処理部１１０は、遊技者によって携帯端末１００が動かされて、撮影されている画像に２次元コードが含まれるようになったか否かを判断する。撮影画像に２次元コードが含まれないと判断した場合（Ｓ１２４でＮＯと判断した場合）、データ処理部１１０は、Ｓ１２４の処理を繰返す。
【０１４４】
一方、撮影画像に２次元コードが含まれるようになったと判断した場合（Ｓ１２４でＹＥＳと判断した場合）、Ｓ１２５で、データ処理部１１０は、撮影された２次元コードで示される情報および２次元コードの取得日時を記憶部１２０に記憶させ、記憶が完了した旨を表示するよう表示部１４０を制御する。２次元コードで示される情報には、公開ＵＲＬ、暗号化非公開ＵＲＬ、および、遊技機ＩＤが含まれる。
【０１４５】
図１４に進んで、図１４（ｃ）を参照して、図１３のＳ１２５で携帯端末１００の表示部１４０に表示される画面には、最上段に、このアプリケーションプログラムの名称である「特典受取アプリ」、以下の段に、２次元コードで示される情報が記憶された旨の文章、および、２次元コードの読取りを終了するための「ＯＫ」ボタンが表示される。
【０１４６】
図１３に戻って、図１４（ｃ）の画面で「ＯＫ」ボタンが操作されると、データ処理部１１０は、実行する処理をＳ１２１の処理に戻す。
【０１４７】
次に、Ｓ１３１で、データ処理部１１０は、図１４（ａ）のメニュー画面で、遊技者によって「特典受取」リンクが操作されることによって、特典の受取りを開始することが選択されたか否かを判断する。特典受取が選択されていないと判断した場合（Ｓ１３１でＮＯと判断した場合）、データ処理部１１０は、実行する処理をＳ１４１の処理に進める。
【０１４８】
一方、特典受取が選択されたと判断した場合（Ｓ１３１でＹＥＳと判断した場合）、Ｓ１３２で、データ処理部１１０は、少なくとも１つの復号アプリが記憶部１２０に記憶されているか否かを判断する。
【０１４９】
復号アプリが少なくとも１つ記憶されていると判断した場合（Ｓ１３２でＹＥＳの場合）、Ｓ１３３で、データ処理部１１０は、Ｓ１２５で記憶部１２０に記憶された２次元コードで示される情報のうち暗号化非公開ＵＲＬを、記憶部１２０に記憶されているすべての復号アプリで、順次、復号することを試みる。
【０１５０】
そして、Ｓ１３４で、データ処理部１１０は、暗号化非公開ＵＲＬから正常に復号されたものがあるか否かを判断する。正常に復号されたか否かは、復号されたものがＵＲＬの体をなしているか否か、たとえば、復号されたものが「http://」の文字で始まる文字列
であるか否かを判断することによって判断することができる。
【０１５１】
復号アプリが１つも記憶されていないと判断した場合（Ｓ１３２でＮＯと判断した場合）、または、暗号化非公開ＵＲＬから正常に復号されたものがないと判断した場合（Ｓ１３４でＮＯと判断した場合）、Ｓ１３７で、データ処理部１１０は、遊技機メーカサーバ２００の公開ＵＲＬのうちの１つであるＳ１２５で記憶部１２０に記憶された２次元コードで示される情報に含まれる公開ＵＲＬにアクセスし、特典受取アプリに登録された会員ＩＤ、ならびに、当該２次元コードで示される情報に含まれる機種ＩＤおよび遊技機ＩＤ、ならびに、Ｓ１２５で記憶部１２０に記憶された取得日時を、遊技機メーカサーバ２００に送信する。
【０１５２】
図１５は、本実施の形態における遊技機メーカサーバ２００で実行される特典付与処理の流れを示すフローチャートである。図１５を参照して、遊技機メーカサーバ２００において、まず、Ｓ２２１で、データ処理部２１０は、通信部２６０を確認することによって、公開ＵＲＬのうちの１つにアクセスが有ったか否かを判断する。
【０１５３】
公開ＵＲＬにアクセスが無いと判断した場合（Ｓ２２１でＮＯと判断した場合）、データ処理部２１０は、実行する処理をＳ２３１の処理に進める。
【０１５４】
一方、公開ＵＲＬの１つにアクセスが有ったと判断した場合（Ｓ２２１でＹＥＳと判断した場合）、Ｓ２２２で、データ処理部２１０は、公開ＵＲＬへのアクセスに伴って送信される情報である会員ＩＤ、遊技機ＩＤおよび取得日時を携帯端末１００から受信したか否かを判断する。
【０１５５】
特典受取アプリからの公開ＵＲＬへのアクセスであれば、図１３のＳ１３７で説明したように、当該アクセスに伴って会員ＩＤ、遊技機ＩＤおよび取得日時が送信される。
【０１５６】
このため、公開ＵＲＬへのアクセスに伴って送信される情報を受信していないと判断した場合（Ｓ２２２でＮＯと判断した場合）、特典受取アプリからのアクセスでないので、Ｓ２２３で、データ処理部２１０は、特別特典を受取るためには特典受取アプリが必要である旨の示唆情報、および、記憶部２２０に記憶された図７で説明した一般特典ＤＢのアクセスされた公開ＵＲＬに対応する一般特典である待受け画像または着信メロディをダウンロードするためのリンクを含む一般特典ページを、アクセス元の携帯端末１００に送信する。その後、データ処理部２１０は、実行する処理をＳ２２１の処理に戻す。
【０１５７】
一方、公開ＵＲＬへのアクセスに伴って送信される情報を受信したと判断した場合（Ｓ２２２でＹＥＳと判断した場合）、特典受取アプリからのアクセスであり、特典受取アプリは既にダウンロードされているので、Ｓ２２４で、データ処理部２１０は、図９および図１１（ｂ）で説明した遊技機機種情報ページにアクセスして機種に応じた復号アプリをダウンロードすればさらに特別特典を受取ることが可能である旨の案内情報、および、記憶部２２０に記憶された図７で説明した一般特典ＤＢのアクセスされた公開ＵＲＬに対応する一般特典である待ち受画像または着信メロディをダウンロードするためのリンクを含む一般特典ページを、アクセス元の携帯端末１００に送信する。その後、データ処理部２１０は、実行する処理をＳ２２１の処理に戻す。
【０１５８】
図１３に戻って、携帯端末１００においては、Ｓ１３８で、データ処理部１１０は、遊技機メーカサーバ２００から一般特典ページを受信するよう無線通信部１６０を制御し、受信した一般特典ページを表示するよう表示部１４０を制御する。
【０１５９】
図１７は、本実施の形態における携帯端末１００の表示部１４０に表示される第４の表示画面図である。図１７（ａ）を参照して、特典受取アプリからのアクセスでない公開ＵＲＬへのアクセスに応じてＳ１３８で携帯端末１００の表示部１４０に表示される一般特典ページには、上段から順に、特別特典を受取るためには特典受取アプリが必要である旨の示唆情報、特典受取アプリのダウンロードを促す旨の文章、および、特典受取アプリをダウンロードするためのウェブページのホームページのＵＲＬへのリンクが表示される。
【０１６０】
また、図１７（ｂ）を参照して、特典受取アプリからの公開ＵＲＬへのアクセスに応じてＳ１３８で携帯端末１００の表示部１４０に表示される一般特典ページには、最上段に、一般特典ページを表示させているアプリケーションプログラムの名称である「特典受取アプリ」、以下の段に、「着信メロディＡをダウンロードしました。」のメッセージ、機種ごとの復号アプリをインストールするとさらに豪華な特別特典を受取ることができる旨の案内情報、特典受取アプリのダウンロードを促す旨の文章、および、特典受取アプリをダウンロードするためのウェブページのホームページのＵＲＬへのリンクが表示される。
【０１６１】
図１３に戻って、一方、暗号化非公開ＵＲＬから正常に復号されたものがあると判断した場合（Ｓ１３４でＹＥＳと判断した場合）、Ｓ１３５で、データ処理部１１０は、遊技機メーカサーバ２００の非公開ＵＲＬのうちの１つである、Ｓ１３３で復号された非公開ＵＲＬにアクセスするとともに、特典受取アプリに登録された会員ＩＤ、ならびに、Ｓ１２５で記憶部１２０に記憶された２次元コードで示される情報に含まれる遊技機ＩＤ、ならびに、Ｓ１２５で記憶部１２０に記憶された取得日時を、遊技機メーカサーバ２００に送信する。
【０１６２】
図１５に進んで、遊技機メーカサーバ２００において、Ｓ２３１で、データ処理部２１０は、通信部２６０を確認することによって、非公開ＵＲＬのうちの１つにアクセスが有って、非公開ＵＲＬへのアクセスに伴って送信される情報である会員ＩＤ、遊技機ＩＤおよび取得日時を携帯端末１００から受信したか否かを判断する。会員ＩＤの送信は、特定プログラム（たとえば、特典受取アプリ＋復号アプリ）を記憶している携帯端末１００がその特定プログラムに従ってアクセスしなければ送信できないものであり、このＳ２３１により、携帯端末１００からの受信情報中に会員ＩＤが含まれているか否かを判断することが、特定プログラムに従ったアクセスであるか否かの判断となる。非公開ＵＲＬへのアクセスが無いと判断した場合（Ｓ２３１でＮＯの場合）、データ処理部２１０は、実行する処理をＳ２２１の処理に戻す。
【０１６３】
一方、非公開ＵＲＬへのアクセスが有って、伴って送信される情報も受信されたと判断した場合（Ｓ２３１でＹＥＳの場合）、データ処理部２１０は、実行する処理をＳ２３４の処理に進める。
【０１６４】
次に、Ｓ２３４で、データ処理部２１０は、記憶部２２０に記憶されている図７（ｂ）で説明した付与済特定情報ＤＢに、当該非公開ＵＲＬおよびＳ２３１で受信した遊技機ＩＤに対して記憶されている取得日時を含む所定時間の範囲（たとえば、取得日時の前後１分の範囲）に、Ｓ２３１で受信した取得日時が含まれるような、遊技機ＩＤおよび取得日時の組合せが既に記憶されているか否かを判断する。
【０１６５】
なお、このように判断することが、２次元コードを特定可能な情報であるＳ２３１で受信した遊技機ＩＤおよび取得日時の組合せが、付与済特定情報ＤＢに既に記憶されているか否かを判断することであるとみなす。
【０１６６】
たとえば、２次元コードがｔ分間表示される場合、図８の付与済特定情報ＤＢに、取得日時として、１０月２日１０時３０分を示す「10021030」が記憶されているとすると、１０月２日１０時（３０−ｔ）分から（３０＋ｔ）分までの間に、複数回２次元コードが撮影されている可能性があるので、所定時間の範囲は、記憶されている取得日時の前後ｔ分の範囲を少なくとも含む範囲とすることが好ましい。
【０１６７】
これによって、パチンコ遊技機７００に表示された２次元コードをそのまま他の携帯端末にコピーして使い回すこと、および、パチンコ遊技機７００に表示された２次元コードを複数台の携帯端末で同時に撮影して使うことだけでなく、パチンコ遊技機７００に表示された２次元コードを時間をずらして１台または複数の携帯端末で撮影して使うことも防止することができる。
【０１６８】
遊技機ＩＤおよび取得日時の組合せが既に記憶されていると判断した場合（Ｓ２３４でＹＥＳと判断した場合）、Ｓ２３７で、データ処理部２１０は、当該非公開ＵＲＬに対応する特別特典は既に付与済である旨を、アクセス元の携帯端末１００に送信する。その後、データ処理部２１０は、実行する処理をＳ２２１の処理に戻す。
【０１６９】
一方、遊技機ＩＤおよび取得日時の組合せが未だ記憶されていないと判断した場合（Ｓ２３４でＮＯと判断した場合）、Ｓ２３５で、データ処理部２１０はアクセスが有った非公開ＵＲＬに対応させて、Ｓ２３１で受信した遊技機ＩＤおよび取得日時の組合せを記憶させる。
【０１７０】
次に、Ｓ２３６で、特別特典付与処理が実行される。この特別特典付与処理は、図１６に基づいて後述する。その後、データ処理部２１０は、実行する処理をＳ２２１の処理に戻す。
【０１７１】
図１３に戻って、携帯端末１００においては、Ｓ１３６で、データ処理部１１０は、遊技機メーカサーバ２００から特別特典ページを受信するよう無線通信部１６０を制御し、受信した特別特典ページを表示するよう表示部１４０を制御する。
【０１７２】
次に、Ｓ２３６で実効される特別特典付与処理の具体的処理内容は、図１６に基づいて説明する。
【０１７３】
まずＳ４００において、特典ＤＢ（図８（ａ）参照）を検索して、携帯端末１００から送信されてきたＵＲＬに対応する特典を含む特典ページを携帯端末１００に送信する処理が行なわれる。次にＳ４０１において、会員ＩＤに対応する取得ＩＤまたは取得済みＩＤが、取得特典ＤＢ（図８（ｃ）参照）に記憶されているか否か、判断される。記憶されていない場合には、今回携帯端末１００から送信されてきたＵＲＬに該当する単独の特典を付与する。すなわちＳ４００による特典ページを送信する。その場合には、制御がＳ４０２へ進み、組合せ特典ＤＢ（図８（ｂ）参照）を検索して組合せ特典の成立に不足している特典種別と順序とを割出して会員の携帯端末１００に返信する制御が行なわれる。たとえば、会員の携帯端末１００から今回送信されてきたＵＲＬに対応する特典が、Ａの特典種別ＩＤであった場合には、次にＢの特典種別ＩＤの特典を取得することにより、キャラクタＸ，Ｙ合体待受け画像の組合せ特典が成立する。このような場合に、機種αの遊技機において表示される特典種別ＩＤがＢのＵＲＬを含む２次元コード、たとえば機種αの遊技機において大当り３連チャンの終了時点で表示される２次元コード１９１を取得することを示唆するメッセージを、Ｓ４０２により携帯端末１００に返信する。
【０１７４】
次に、Ｓ４０３において、取得特典ＤＢ（図８（ｃ）参照）の会員ＩＤに対応するデータを加算更新する。たとえば、今回のアクセスが会員ＩＤ「３３３」の会員であった場合において、今回取得した特典の特典種別ＩＤがＢであった場合には、会員ＩＤが３３３に相当する取得ＩＤと順序とのエリアを二分して、既に記憶されている取得ＩＤＣに対応する順序を「１」とするとともに、新たにＢを取得ＩＤとして記憶させ、それに対応する順序のデータとして「２」を記憶させる。また、取得済みＩＤのエリアにおいては、既に記憶されているＣに加えて、Ｂを追加して記憶させる。
【０１７５】
Ｓ４０１において、ＹＥＳの判断がなされた場合には、制御がＳ４０４へ進み、記憶されている取得ＩＤおよび順序または取得済みＩＤと今回取得した特典種別ＩＤとの組合せで成立する組合せ特典が、組合せ特典ＤＢ（図８（ｃ）参照）に記憶されているか否か、判断される。記憶されていなければ、Ｓ４０２に制御が移行するが、記憶されている場合には、Ｓ４０５において、その成立している組合せ特典を含む特典ページを携帯端末１００へ送信する処理が行なわれる。
【０１７６】
次に、Ｓ４０６において、取得特典ＤＢ（図８（ｃ）参照）から組合せ特典の成立に用いられたデータを削除し、削除しなかったデータに対し今回取得した特典に関するデータを追加する処理が行なわれる。たとえば、３３３の会員ＩＤの会員がアクセスして、今回取得した特典種別ＩＤがＤであった場合には、既に取得した特典Ｃが取得ＩＤとして記憶されているために（図８（ｃ）の取得特典ＤＢ参照）、Ｃ，Ｄの特典種別ＩＤの組合せが成立して、図８（ｂ）の組合せ特典ＤＢを参照して、「買い物ポイント１０ｐｔ」の組合せ特典が成立し、会員に付与される。その結果、取得ＩＤのエリアに記憶されているＣの特典種別ＩＤが組合せ特典の取得に用いられたために、この取得ＩＤのエリアにおけるＣが削除されることとなる。一方、取得済みＩＤのエリアにおけるＣは、記念品の取得のために記憶されているデータであり、Ａ，Ｂ，Ｃ，Ｄの組合せが成立して初めて記念品の付与として用いられるデータである。よって、今回Ｄの特典を取得した段階では、Ｃ，Ｄの組合せは成立しても、Ａ，Ｂ，Ｃ，Ｄの組合せが成立していない段階であるために、記念品は付与されず、その結果取得済みＩＤのエリアにおけるＣはまだ削除されない。
【０１７７】
図１７（ｃ）は、Ｓ１３７により受信された（Ｓ４００により送信されてきた）特典ページを示しており、具体的には、携帯端末１００がＡの特典種別ＩＤに相当するＵＲＬ（ｈｔｔｐ：○○○）を含む２次元コード１９１を読取って遊技機メーカサーバ２００へアクセスして送信した場合に、その遊技機メーカサーバ２００から返信されてきたページを示している。この場合には、図８（ａ）の特典ＤＢを参照して、「キャラクタＸ待受け画像」を含むページが遊技機メーカサーバ２００から返信されてくることになる。その具体的ページの画面は、図１７（ｃ）を参照して、キャラクタＸの画像が表示され、その下に、キャラクタＸを待受けにする場合にその画像を保存することを促す旨の文章が表示される。さらに、図１６のＳ４０２に従って返信されてきた、組合せ特典を取得するのに不足している特典種別を取得するための具体的方法を示唆した文章が表示される。その示唆文章は、たとえば、「大当り５連チャン時の２次元コードを取得すれば、キャラクタＸとキャラクタＹの合体待受けがプレゼント」等である。
【０１７８】
図１３に戻って、Ｓ１３６またはＳ１３８の後、Ｓ１３９で、データ処理部１１０は、Ｓ１２５で記憶部１２０に記憶された２次元コードで示される情報を記憶部１２０から削除する。その後、データ処理部１１０は、実行する処理をＳ１２１の処理に戻す。
【０１７９】
また、Ｓ１４１では、データ処理部１１０は、図１４（ａ）のメニュー画面で、遊技者によって「終了」リンクが操作されることによって、特典受取アプリを終了させることが選択されたか否かを判断する。特典受取アプリの終了が選択されていないと判断した場合（Ｓ１４１でＮＯと判断した場合）、データ処理部１１０は、実行する処理をＳ１２１に戻す。
【０１８０】
一方、特典受取アプリの終了が選択されたと判断した場合（Ｓ１４１でＹＥＳと判断した場合）、データ処理部１１０は、この特典受取アプリを終了させる。
【０１８１】
図１８は、本実施の形態における遊技機メーカサーバ２００で実行される特典設定処理の流れを示すフローチャートである。図１８を参照して、遊技機メーカサーバ２００において、まず、Ｓ３０１で、ある遊技機の機種に対応する、公開ＵＲＬおよび一般特典の組合せ、ならびに、非公開ＵＲＬおよび特別特典組合せが、データ入力部２３０から入力されたか否かを判断する。
【０１８２】
それぞれの組合せに含まれる各情報が入力されていないと判断した場合（Ｓ３０１でＮＯと判断した場合）、データ処理部２１０は、実行する処理をＳ３１３の処理に進める。
【０１８３】
一方、それぞれの組合せに含まれる各情報が入力されたと判断した場合（Ｓ３０１でＹＥＳと判断した場合）、Ｓ３０２で、データ処理部２１０は、入力されたそれぞれの組合せに含まれる情報を、図７で説明した一般特典ＤＢ、および、図８で説明した特別特典ＤＢに記憶させる。
【０１８４】
次に、Ｓ３０３で、２次元コードを記憶させる当該機種の遊技機の機種ＩＤおよび複数の遊技機ＩＤが、データ入力部２３０から入力されたか否かを判断する。入力されていないと判断した場合（Ｓ３０３でＮＯと判断した場合）、データ処理部２１０は、Ｓ３０３の処理を繰返す。
【０１８５】
一方、機種ＩＤおよび複数の遊技機ＩＤが入力されたと判断した場合（Ｓ３０３でＹＥＳと判断した場合）、Ｓ３０４で、データ処理部２１０は、機種ごとの暗号キーで、Ｓ３０１で入力された非公開ＵＲＬを暗号化する。
【０１８６】
そして、Ｓ３０５で、データ処理部２１０は、当該暗号キーに対応する復号キーを含む復号プログラムを生成して、記憶部２２０に記憶させる。
【０１８７】
次に、データ処理部２１０は、当該パチンコ遊技機７００の新機種情報ＨＰ（HomePage）の公開日であれば（Ｓ３１３でＹＥＳであれば）、Ｓ３１４で、当該新機種の復号プログラムがダウンロード可能となった旨を会員の携帯端末１００に電子メールで送信する。
【０１８８】
［第２実施の形態］
次に、第２実施の形態を説明する。前述した第１実施の形態では、取得特典ＤＢが遊技機メーカサーバ２００の記憶部２２０に記憶されていたが、この第２実施の形態では、各携帯端末１００の記憶部１２０にそれぞれ記憶されている。
【０１８９】
図１９は、携帯端末１００の記憶部１２０に記憶されている各ＤＢを示している。記憶部１２０には、特別特典ＤＢが記憶されており、その特別特典ＤＢは、特典ＤＢと組合せ特典ＤＢと取得特典ＤＢとの３種類を含んでいる。
【０１９０】
特典ＤＢと組合せ特典ＤＢとは、図８（ａ）、（ｂ）で示した特典ＤＢ、組合せ特典ＤＢと同じである。取得特典ＤＢに関しては、第１実施の形態では、各会員ＩＤに対応付けてそれぞれの会員のデータを記憶しているが、この第２実施の形態では、携帯端末１００に記憶されているＤＢであるために、当該携帯端末１００が取得した特典種別に関するデータのみを記憶している。図１９の例では、Ｂの取得ＩＤとＤの取得ＩＤとが記憶されており、順序として、Ｂが「１」、Ｄが「２」となる順序データが記憶されており、取得済みＩＤとして、Ｂ，Ｃ，Ｄが記憶されている。
【０１９１】
またこの第２実施の形態においては、遊技機メーカサーバ２００の記憶部２２０に記憶されている特別特典ＤＢとしては、図８（ａ）の特典ＤＢと図８（ｂ）の組合せ特典ＤＢのみであり、図８（ｃ）の取得特典ＤＢは記憶していない。
【０１９２】
図２０は、第２実施の形態におけるウェブブラウザ処理とアプリダウンロード処理とを示しており、図９の第１実施の形態と相違点は、Ｓ２０５ａによる特典受取アプリの送信時に、現時点で組合せ特典の付与対象となっているすべての機種の遊技機についての、特典種別ＩＤと特典と組合せ特典データとが併せて、携帯端末１００に送信され、Ｓ１０５ａで、それら送信されてきた特典受取アプリと特典種別ＩＤと特典と組合せ特典データとを受信して記憶する処理がなされる。これは、携帯端末１００側において特典データベースを記憶しなければならないために（図１９参照）、特典受取アプリばかりでなく、特典種別ＩＤと特典とＵＲＬと組合せ特典データとを遊技機メーカサーバ２００から送信してもらう必要があるためである。
【０１９３】
図２１は、第２実施の形態における特典受取アプリを示しており、図１３の第１実施の形態と相違点は、以下の点である。
【０１９４】
Ｓ１２１の処理の後、Ｓ１２１ａにより、新機種の特別特典データの要求選択があったか否かの判断がなされる。遊技機メーカーが新機種の遊技機を発表した場合には、その新機種情報をホームページに公開するとともに、その新機種の復号プログラムがダウンロード可能となった旨が会員の携帯端末１００にメール送信される（図２５のＳ３１４参照）。そのメールを見た会員が、その新機種の特別特典のデータをダウンロードしたい場合には、新機種の特別特典データの要求を選択操作する。すると、Ｓ１２１ａによりＹＥＳの判断がなされて、Ｓ１２１ｄにより、特別特典ＤＢの更新処理が行なわれる。
【０１９５】
この特別特典ＤＢの更新処理は、具体的には、以下のような処理動作を行なう。
まず、新機種を特定してその特別特典データの要求を遊技機メーカサーバ２００へ送信する。すると、遊技機メーカサーバ２００から、その指定された新機種の特別特典ＤＢに記憶されるデータが返信されてくる（図２５のＳ３１６参照）。この特別特典ＤＢに記憶されるデータとは、図１９の記憶部１２０に記憶される特別特典ＤＢのデータであり、具体的には、図１９に示した、特典ＤＢと組合せ特典ＤＢとである。遊技機メーカサーバ２００からこの特別特典ＤＢに対応するデータが返信されてくれば、記憶部１２０の特典ＤＢと組合せ特典ＤＢとにそれぞれ対応するデータを記憶させる処理が行なわれる。
【０１９６】
次に、Ｓ１２１ａによりＮＯの判断がなされた場合には、Ｓ１２１ｂにより、組合せ特典取得情報の表示選択が行なわれたか否かの判断がなされる。この組合せ特典取得情報の表示選択とは、現時点において、組合せ特典を取得するのに不足している特典種別の取得方法を表示させる選択操作のことである。Ｓ１２１ｂによりＮＯの判断がなされた場合には制御がＳ１２２へ移行するが、ＹＥＳの判断がなされた場合には、制御がＳ１２１ｃに移行し、組合せ特典取得情報表示処理が実行された後Ｓ１２２へ移行する。この組合せ特典取得情報表示処理では、まず取得特典ＤＢを参照して、現在取得している取得ＩＤおよび順序さらには取得済みＩＤを読出し、組合せ特典ＤＢに記憶されている組合せ特典が成立する特典種別に不足している特典種別を割出す。そしてその割出された不足している特典種別を得ることのできる遊技機の機種を特典ＤＢを参照して割出す。そして、その割出された遊技機の機種とその機種で実際に不足している特典種別を得るための方法とを、画面表示する。その画面表示の具体例が、図２４に示されている。
【０１９７】
図２４（ａ）を参照して、まず、組合せ特典を取得できる可能性がある機種が表示される。その表示された機種のいずれかを選択指定すると、図２４（ｂ）に示すように、成立する可能性のある組合せ特典の内容と、それを取得するための具体的方法が表示される。たとえば、「キャラクタＸ，Ｙ合体待受けをゲットするためには、遊技機αで５連チャン時に表示される２次元コードを取得して下さい。」等のようなメッセージ表示がなされる。
【０１９８】
図２２は、図２１のＳ１３５ａに示された特別特典要求処理の具体的制御内容を示すフローチャートである。まずＳ４１０により、取得ＩＤまたは取得済みＩＤが取得特典ＤＢ（図１９参照）に記憶されているか否か、判断される。何ら記憶されていない場合には、今回読取った２次元コード１９１に含まれている非公開ＵＲＬに対応する特典のみを取得することとなり、その取得のためのデータの送信は、既にＳ１３５で行なわれている。このような場合には、携帯端末１００は、Ｓ４１１により、組合せ特典ＤＢ（図１９参照）を検索して組合せ特典の成立に不足している特典種別と順序とを割出して表示する処理が行なわれる。次にＳ４１２において、今回取得した特典に関するデータを取得特典ＤＢ（図１９参照）に追加記憶する処理が行なわれる。この追加記憶する処理は、前述の第１実施の形態で説明した内容と同様である。
【０１９９】
一方、取得ＩＤまたは取得済みＩＤが取得特典ＤＢに記憶されている場合には、制御がＳ４１３へ移行し、記憶されている特典ＩＤおよび順序または取得済みＩＤをサーバ１００へ送信する処理が行なわれる。たとえば、図９に示す取得特典ＤＢのデータが記憶されている状態で、新たに、Ａの特典種別に対応した暗号化ＵＲＬを読取って復号化し、その非公開ＵＲＬにアクセスして所定情報を送信する処理が、Ｓ１３５により実行され、さらに、Ｓ４１３により、現在既に取得特典ＤＢに記憶されているデータ、すなわちＢの取得ＩＤが順序１でＤの取得ＩＤが順序２で、かつ取得済みＩＤがＢ，Ｃ，Ｄである旨のデータが送信される。それを受けた遊技機メーカサーバ２００は、組合せ特典ＤＢ（図８（ｂ）参照）を参照して、特典種別ＩＤとしてＡ，Ｂ，Ｃ，Ｄの組合せが成立し、記念品を組合せ特典として付与することを判定し、記念品を会員に送るための処理を実行する。具体的には、会員の携帯端末１００に住所入力画像を送信し、その画像にしたがって会員に自己の住所を入力して返信してもらい、その住所に記念品を配送する。
【０２００】
また、このように、組合せ特典が成立している場合には、遊技機メーカサーバ２００は、組合せ特典が成立した旨と共に特典種別ＩＤの組合せを携帯端末１００へ返信する（図２３のＳ４０５参照）。一方、組合せ特典が成立しなかった場合には、遊技機メーカサーバ２００は、組合せ特典が成立しない旨を携帯端末１００に返信する（図２３のＳ４０７参照）。
【０２０１】
そのサーバからの返信を受ければ、Ｓ４１４により、ＹＥＳの判断がなされて、Ｓ４１５により、その返信結果が組合せ特典の成立を表わすものであるか否かの判断がなされる。組合せ特典が成立してない旨を表わす返信であった場合には、制御がＳ４１１へ移行するが、組合せ特典が成立している旨の返信内容であった場合には、Ｓ４１６により、返信された特典種別ＩＤを削除する処理が行なわれる。
【０２０２】
第２実施の形態におけるサーバ１００での特典付与処理の動作は、図１５に示した第１実施の形態の特典付与処理と同様のものを採用している。よって、ここでは、図示および説明の繰返しを省略する。
【０２０３】
図２３は、第２実施の形態における特別特典付与処理の具体的制御内容を示すフローチャートである。Ｓ４００により、特典ＤＢを検索してＵＲＬに対応する特典を含む特典ページを送信する処理が行なわれる。これは、Ｓ２３１によって送信されてきた非公開ＵＲＬに対応して特典ＤＢに記憶されている特典を含む特典ページを携帯端末１００に返信する処理である。次にＳ４０１により、取得ＩＤおよび順序または取得済ＩＤを受信したか否かの判断が行なわれる。受信していなければこの特別特典付与処理が終了するが、図２２のＳ４１３により、取得ＩＤおよび順序または取得済ＩＤが送信されてくれば、制御がＳ４０４へ移行する。Ｓ４０４では、記憶されている取得ＩＤおよび順序または取得済みＩＤと今回取得した特典種別ＩＤとの組合せで、成立する組合せ特典が組合せ特典ＤＢに記憶されているか否かの判断が行なわれる。記憶されている場合には、Ｓ４０５ａにより、組合せ特典が成立した特典種別ＩＤの組合せを携帯端末１００へ返信する処理がなされ、Ｓ４０６により、その成立している組合せ特典を含む特典ページを携帯端末１００へ返信する処理が実行される。
【０２０４】
一方、Ｓ４０４により、ＮＯの判断がなされた場合には、組合せ特典が成立していない旨を携帯端末１００へ返信する処理が行なわれる。
【０２０５】
図２５は、第２実施の形態における特典設定処理の制御動作を示すフローチャートである。図１８に示した第１実施の形態における特典設定処理との相違点は、Ｓ３１４の処理の後、Ｓ３１５、Ｓ３１６のステップ処理が追加されている点である。Ｓ３１５により、機種を指定して特別特典データの送信要求を携帯端末１００から受信したか否かの判断がなされる。受信していなければＳ３０１へ戻るが、携帯端末１００を操作して新機種の特別特典データの要求が選択されて（Ｓ１２１ａでＹＥＳ）、Ｓ１２１ｄにより特別特典ＤＢの更新処理が行なわれた場合には、機種を指定して特別特典データの送信要求がその携帯端末１００から遊技機メーカサーバ２００へ送信されてくる。すると、Ｓ３１５によりＹＥＳの判断がなされてＳ３１６へ進み、特別特典ＤＢ中の指定された機種に対応するデータをその携帯端末１００へ返信する処理がなされた後、Ｓ３０１へ戻る。
【０２０６】
次に、前述した実施の形態により得られる主な効果を説明する。
（１−１）  図１３のＳ１２３〜Ｓ１２５で説明したように、携帯端末１００によって、パチンコ遊技機７００から出力される２次元コードが取得される。図９のＳ１０５，Ｓ１１９で説明したように、携帯端末１００によって、特別特典を受けるための非公開ＵＲＬへのアクセスを行なうための携帯端末１００の処理手順を示す特典受取アプリ＋復号アプリが記憶部１２０に記憶される。図１３のＳ１２５，Ｓ１３４，Ｓ１３５で説明したように、携帯端末１００によって、２次元コードが取得されたことを条件として、記憶された特典受取アプリ＋復号アプリに従って、サーバの非公開ＵＲＬへのアクセスが行なわれる。
【０２０７】
また、図１５のＳ２２１，Ｓ２３１で説明したように、遊技機メーカサーバ２００によって、携帯端末１００からのアクセスが受付けられる。図１５のＳ２３１，Ｓ２３６で説明したように、遊技機メーカサーバ２００によって、受付けられたアクセスが非公開ＵＲＬへのアクセスであることを条件として、特別特典ページを携帯端末１００に送信する処理が行なわれる。
【０２０８】
このように、遊技者によって特典受取アプリ＋復号アプリを予め携帯端末１００に記憶させる手続が行なわれていれば、特典付与システム１０によって、携帯端末１００で取得した２次元コードに基づいて特別特典が付与されるようにすることができる。また、遊技者によって特典受取アプリ＋復号アプリを予め携帯端末１００に記憶させる手続が行なわれていない限り、特典付与システム１０によって、２次元コードに基づいて特別特典が付与されないようにすることができる。その結果、特別特典の付与を受けるためのパチンコ遊技機７００から出力される２次元コードを正規に取得した遊技者が特別特典の付与を受けられないといった事態を防止しつつ、特別特典を受けるための手続をしていない携帯端末１００を用いた２次元コードの使い回しを効果的に制限することができる。
【０２０９】
（１−２）  図１３のＳ１２３〜Ｓ１２５で説明したように、携帯端末１００によって、パチンコ遊技機７００での大当り回数を特定可能な情報を含む２次元コードが取得される。図１３のＳ１３５で説明したように、携帯端末１００によって、非公開ＵＲＬへのアクセスに伴って大当り回数を特定可能な情報が遊技機メーカサーバ２００に送信される。また、図１５のＳ２３６で説明したように、遊技機メーカサーバ２００によって、受付けられた非公開ＵＲＬへのアクセスに伴って送信される単独の特典や組合せ特典を付与する特別特典ページが携帯端末１００に送信される。
【０２１０】
このように、特典付与システム１０によって、単独の特典や組合せ特別特典が付与される。その結果、遊技者の遊技意欲を掻き立てることができる。
【０２１１】
（１−３）  図１３のＳ１３５で説明したように、携帯端末１００によって、非公開ＵＲＬへのアクセスに伴って、パチンコ遊技機７００から取得された２次元コードを特定可能な遊技機ＩＤおよび２次元コードの取得日時が遊技機メーカサーバ２００に送信される。また、図１５のＳ２３６で説明したように、遊技機メーカサーバ２００によって、受付けられた非公開ＵＲＬへのアクセスに伴って送信される遊技機ＩＤおよび２次元コードの取得日時が、当該非公開ＵＲＬに対応させて記憶される。また、図１５のＳ２３１，Ｓ２３４，Ｓ２３６，Ｓ２３７で説明したように、遊技機メーカサーバ２００によって、非公開ＵＲＬへのアクセスが受付けられたときに、受付けられた非公開ＵＲＬへのアクセスに伴って送信される遊技機ＩＤおよび取得日時が付与済特定情報ＤＢに既に記憶されていることを条件として、特別特典ページが付与されずに、当該特別特典を付与済である旨が送信される。
【０２１２】
このように、ある２次元コードに基づいて非公開ＵＲＬへのアクセスが行なわれ特別特典が付与されると、当該２次元コードを特定可能な遊技機ＩＤおよび取得日時が付与済特典ＤＢに記憶されるので、その後に、その２次元コードに基づいて非公開ＵＲＬへのアクセスが行なわれてもその２次元コードの遊技機ＩＤおよび取得日時が既に記憶されているので、当該非公開ＵＲＬに対応する特別特典の付与が禁止される。その結果、同一の２次元コードに基づいて繰返し非公開ＵＲＬへのアクセスを行ない特別特典の付与を受けるような行為を防止することができる。
【０２１３】
（１−４）  図１５のＳ２２１，Ｓ２２３で説明したように、遊技機メーカサーバ２００によって、受付けられたアクセスが非公開ＵＲＬへのアクセスでないことを条件として、当該アクセスを行なった携帯端末１００に対して、特別特典を受けるためには特典受取アプリが必要である旨を示す示唆情報が返信される。
【０２１４】
このように、特別特典の付与を受けるためには特典受取アプリの取得が必要であることを遊技者に認識させることができる。
【０２１５】
（２−１）  図１３のＳ１２３〜Ｓ１２５で説明したように、携帯端末１００によって、パチンコ遊技機７００から出力される２次元コードが取得される。図９のＳ２１１〜Ｓ２１４で説明したように、遊技機メーカサーバ２００によって、携帯端末１００からの遊技機機種選択ページおよび遊技機機種情報ページへのアクセスに応じて予め記憶している遊技機機種選択ページおよび遊技機機種情報ページが送信される。図９のＳ２０１，Ｓ２１１，Ｓ２１３，Ｓ２１５、図１５のＳ２２１，Ｓ２３１で説明したように、遊技機メーカサーバ２００によって、携帯端末１００からのアクセスが受付けられる。図９のＳ２１５，Ｓ２１６で説明したように、図９のＳ２１２で送信された遊技機機種選択ページにおいて、Ｓ１１４で遊技者によって所望の機種の遊技機機種情報ページのＵＲＬが指定されてＳ１１５で行なわれたアクセスに応じてＳ２１４で送信された遊技機機種情報ページにおいて、Ｓ１１７で遊技者によって復号アプリのＤＬページのＵＲＬが指定されてＳ１１８で行なわれた復号アプリのＤＬページへのアクセスがＳ２１５で有ったと判断されたことを条件として、当該アクセスを行なった携帯端末１００に対して、暗号化非公開ＵＲＬを復号するための携帯端末１００の処理手順を示す復号アプリが送信される。
【０２１６】
また、図９のＳ１１９で説明したように、携帯端末１００によって、遊技機メーカサーバ２００から送信されてきた復号アプリが記憶部１２０に記憶される。図１３のＳ１３３で説明したように、携帯端末１００によって、記憶された復号アプリに従って、取得された２次元コードで示される情報に含まれる暗号化非公開ＵＲＬが復号される。
【０２１７】
そして、図１３のＳ１３７で説明したように、携帯端末１００によって、図１３のＳ１３２で復号アプリが当該携帯端末１００に記憶されていないと判断され、かつ、図１３のＳ１２３からＳ１２５までで２次元コードが撮影され２次元コードで示される情報が記憶されたことを条件として、当該２次元コードで示される情報に含まれる公開ＵＲＬに基づくアクセスが行なわれる。一方、図１３のＳ１３５で説明したように、図１３のＳ１３２で復号アプリが当該携帯端末１００に記憶されていると判断され、かつ、図１３のＳ１２３からＳ１２５までで２次元コードが撮影され２次元コードで示される情報が記憶されたことを条件として、復号された非公開ＵＲＬに基づくアクセスが行なわれる。
【０２１８】
また、図１５のＳ２２４で説明したように、遊技機メーカサーバ２００によって、図１５のＳ２２１で公開ＵＲＬへのアクセスが受付けられたと判断されたことを条件として、一般特典ページを携帯端末１００に送信する処理が行なわれる。一方、図１５のＳ２３７で説明したように、遊技機メーカサーバ２００によって、図１５のＳ２３１で非公開ＵＲＬへのアクセスが受付けられたと判断されたことを条件として、特別特典ページを携帯端末１００に送信する処理が行なわれる。
【０２１９】
このように、特別特典を受けるためには、復号アプリの配信を受けておく必要があるので、遊技機機種選択ページおよび遊技機機種情報ページへのアクセスを行なう必要がある。また、復号アプリの配信を受けた遊技者が特別特典を受けるためには、パチンコ遊技機７００から出力される２次元コードを取得する必要があるので、実際にパチンコ遊技機７００で遊技する必要がある。
【０２２０】
その結果、遊技機機種選択ページおよび遊技機機種情報ページへアクセスすることに対する動機付けを遊技者に対して与えることができるとともに遊技することに対する動機付けを遊技者に対して与えることができるといった相乗効果を得ることが可能な特典付与システム１０を提供することができる。
【０２２１】
（２−２）  図１５のＳ２２４で説明したように、遊技機メーカサーバ２００によって、公開ＵＲＬへのアクセスを行なった携帯端末１００に対して、遊技機機種選択ページおよび遊技機機種情報ページへのアクセスを条件に特別特典の付与が受けられる旨を示す案内情報が返信される。
【０２２２】
このように、特別特典の付与を受けられることを知らない遊技者に案内情報が送信される。その結果、遊技機機種選択ページおよび遊技機機種情報ページへのアクセスを新たな遊技者に対して促すことができるので、遊技機機種選択ページおよび遊技機機種情報ページへのアクセス数を増加させることができる。
【０２２３】
（２−３）  図９のＳ２１４で説明したように、遊技機メーカサーバ２００によって、パチンコ遊技機７００の各機種の機種情報を含む遊技機機種情報ページが送信される。図９のＳ２１６で説明したように、遊技機メーカサーバ２００によって、図９のＳ１１４で遊技者の所望の機種の遊技機機種情報ページのＵＲＬが指定されることに応じてＳ２１４で送信された遊技機機種情報ページの復号アプリＤＬページのＵＲＬが指定されることに応じて対応する復号アプリが送信される。また、図１３のＳ１３２〜Ｓ１３５で説明したように、携帯端末１００によって、Ｓ１３２で、少なくとも１つの復号アプリが記憶されていると判断され、Ｓ１３３で、記憶されたすべての復号アプリで暗号化非公開ＵＲＬの復号が試みられ、Ｓ１３４で、正常に復号されたものがあったと判断されることによって、間接的に、取得された２次元コードに含まれる機種ＩＤから特定される機種の復号アプリが記憶部１１０に記憶されていると判断されることをさらに条件として、非公開ＵＲＬへのアクセスが行なわれる。
【０２２４】
このように、特別特典を受けるためには、さらに、２次元コードが出力されるパチンコ遊技機７００の機種の復号アプリが必要である。その結果、遊技機機種情報ページへアクセスして機種ごとに復号アプリを取得する必要があるため、遊技機機種情報ページへのアクセス数を増加させることができる。
【０２２５】
（２−４）  図１８のＳ３１４で説明したように、遊技機メーカサーバ２００によって、Ｓ３１３で新機種情報ＨＰの公開日であると判断されたことを条件として、当該新機種の復号アプリが送信可能とされた旨を示す電子メールが携帯端末１００に送信される。
【０２２６】
このため、新機種の復号アプリが送信可能となったことを遊技者に認識させることができる。その結果、新機種の復号アプリが送信可能となるごとに、遊技機機種情報ページへのアクセス数を増加させることができる。また、遊技者が特別特典を受けるための準備を事前にさせることができるので、遊技者の利便性を向上させることができる。
【０２２７】
（２−５）  図１３のＳ１３５で説明したように、携帯端末１００によって、非公開ＵＲＬへのアクセスに伴って、当該携帯端末１００を識別可能な会員ＩＤおよび取得された２次元コードに含まれる機種ＩＤが送信される。そして、図１５のＳ２３１で説明したように、遊技機メーカサーバ２００によって、非公開ＵＲＬへのアクセスに伴って送信される会員ＩＤおよび機種ＩＤが受信される。図１５のＳ２３３で説明したように、遊技機メーカサーバ２００によって、各会員ＩＤの、受付けられた機種ＩＤで特定される機種の累計の特典付与済機種数が加算更新される。図１５のＳ２３７で説明したように、遊技機メーカサーバ２００によって、非公開ＵＲＬへのアクセスを行なった携帯端末１００の会員ＩＤの計数された特典付与済機種数に応じた特別特典を含む特別得点ページが送信される。
【０２２８】
このように、遊技者が２次元コードを取得したパチンコ遊技機７００の特典付与済機種数に応じた特別特典が付与される。その結果、より多くの機種で遊技することを遊技者に促すことができる。
【０２２９】
（３−１）  パチンコ遊技機７００から出力される出力情報（２次元コード）に含まれる暗号化ＵＲＬを復号したものの組合せに応じて付与する特典が設定されており、パチンコ遊技機７００から出力される出力情報のうち、遊技者の携帯端末１００が以前に取得した出力情報の種類と今回取得した出力情報の種類との組合せに対して、図１８、図２５のＳ３０２にて設定された特典を付与するために、パチンコ遊技機７００からの出力情報を取得した遊技者がさらなる出力情報を取得してそれら出力情報の種類の組合せに応じた特典を取得するべく再遊技を行なうとするのであり、出力情報を取得した遊技者に対する再遊技の動機付けを高めることができる。
【０２３０】
（３−２）  図８、図１９の組合せ特典ＤＢで示したように、同一の出力情報の種類の組合せであったとしても、取得する順序によって異なる特典の付与を受けられるため、一旦組合せによる特典の付与を受けた遊技者に対しての再遊技を促進することができる。
【０２３１】
（３−３）  組合せ特典が付与された後に、その組合せ特典の成立に用いられたデータが特典取得ＤＢから削除されるために（図１６のＳ４０６、図２２のＳ４１６）、遊技者が、組合せによる特典付与処理の対象となった出力情報特定情報を含むアクセスを繰返し行ない、何度も組合せによる特典の付与を受けるような行為を、防止することができる。
【０２３２】
（３−４）  遊技者は、組合せに応じた特典の付与を受けるために必要な出力情報を認識することができるので（図１７（ｃ）、図２４）、さらに再遊技への動機付けを高めることができる。
【０２３３】
（３−５）  組合せ特典が付与される新機種の遊技機の発表に伴ってその旨が会員の携帯端末１００にメール送信されるため（図１８、図２５のＳ３１４）、遊技者に対して、出力情報の組合せに応じて付与する特典が新たに設定された遊技機での遊技を促すことができる。
【０２３４】
（３−６）  複数種類の機種の遊技機からそれぞれ出力された出力情報の組合せによっても、組合せ特典が付与されるために（図１９のＥ，Ａの組合せによるキャラクタＸ，Ｐ対決待受け画像）、ある種類の遊技機で遊技を行なった遊技者の他の種類の遊技機での遊技も促進することができる。
【０２３５】
次に、以上で説明した実施の形態に記載されている発明の課題を解決するための手段、その具体例およびその効果を列挙する。
【０２３６】
（１）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）と、前記出力情報を取得した携帯端末からのアクセスに応じて特典（たとえば、待受け画像、買物ポイント、記念品）を付与するための処理を行なう遊技用サーバ（たとえば、遊技機メーカサーバ２００）とを備える遊技用システム（たとえば、特典付与システム１０）であって、
前記携帯端末は、
前記出力情報取得手段によって前記出力情報が取得されたことを条件として、前記遊技用サーバにアクセスするとともに、当該アクセスに伴って前記取得された出力情報の種類を特定可能な出力情報特定情報（たとえば、ＵＲＬ、所定の演出画像）と前記携帯端末を個々に識別可能な携帯識別情報（たとえば、会員ＩＤ）とを前記遊技用サーバに送信する送信手段（たとえば、図１３のＳ１３５）を備え、
前記遊技用サーバは、
前記送信手段により送信されてきた出力情報特定情報と前記携帯識別情報とを受信する受信手段（たとえば、図１５のＳ２３１）と、
複数種類の出力情報の組合せに応じて付与する特典を設定する特典設定手段（たとえば、図１８のＳ３０２、図８（ｂ）の組合せ特典ＤＢ）と、
各携帯識別情報に対応付けて前記受信手段により受信した出力情報特定情報を記憶する携帯別出力情報記憶手段（たとえば、図１６のＳ４０３、Ｓ４０６）と、
前記受信手段により出力情報特定情報と携帯識別情報とを受信したときに、該受信した携帯識別情報に対応付けて前記携帯別出力情報記憶手段に記憶されている出力情報特定情報を特定する出力情報特定情報特定手段（たとえば、図１６のＳ４０１、Ｓ４０４）と、
該出力情報特定情報特定手段により特定された出力情報特定情報により特定される出力情報の種類と前記受信した出力情報特定情報により特定される出力情報の種類との組合せに対して前記特典設定手段にて設定された特典を付与するための特典付与処理を行なう特典付与処理手段（たとえば、図１６のＳ４０４、Ｓ４０５）とを備えることを特徴とする。
【０２３７】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２３８】
（２）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）からのアクセスに応じて特典（たとえば、待受け画像、買物ポイント、記念品）を付与するための処理を行なう遊技用サーバ（たとえば、遊技機メーカサーバ２００）であって、
前記出力情報を取得した前記携帯端末からのアクセスに伴って当該出力情報の種類を特定可能な出力情報特定情報（たとえば、ＵＲＬ、所定の演出画像）と、該携帯端末を個々に識別可能な携帯識別情報（たとえば、会員ＩＤ）とを、受信する受信手段（たとえば、図１５のＳ２３１）と、
複数種類の出力情報の組合せに応じて付与する特典を設定する特典設定手段（たとえば、図１８のＳ３０２、図８（ｂ）の組合せ特典ＤＢ）と、
各携帯識別情報に対応付けて前記受信手段により受信した出力情報特定情報を記憶する携帯別出力情報記憶手段（たとえば、図１６のＳ４０３、Ｓ４０６）と、
前記受信手段により出力情報特定情報と携帯識別情報とを受信したときに、該受信した携帯識別情報に対応付けて前記携帯別出力情報記憶手段に記憶されている出力情報特定情報を特定する出力情報特定情報特定手段（たとえば、図１６のＳ４０１、Ｓ４０４）と、
該出力情報特定情報特定手段により特定された出力情報特定情報により特定される出力情報の種類と前記受信した出力情報特定情報により特定される出力情報の種類との組合せに対して前記特典設定手段にて設定された特典を付与するための特典付与処理を行なう特典付与処理手段（たとえば、図１６のＳ４０４、Ｓ４０５）とを備えることを特徴とする。
【０２３９】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２４０】
（３）  前記特典設定手段は、前記複数種類の出力情報の組合せと該組合せに含まれる各出力情報の出力情報特定情報の受信順序とに応じて付与する特典を設定し（たとえば、図８（ｂ）の組合せ特典ＤＢ、図１６のＳ４０４）、
前記携帯別出力情報記憶手段は、前記受信手段により受信した各出力情報特定情報の受信順序を記憶し（たとえば、図８（ｃ）の取得特典ＤＢの「順序」の記憶エリア）、
前記特典付与処理手段は、前記出力情報特定情報特定手段により特定された出力情報特定情報により特定される出力情報の種類と前記受信した出力情報特定情報により特定される出力情報の種類との組合せ、および、該組合せに含まれる各出力情報特定情報の受信順序に対して前記特典設定手段にて設定された特典を付与するための前記特典付与処理を行なう（たとえば、図１６のＳ４０４、Ｓ４０５）ことを特徴とする。
【０２４１】
このような構成によれば、同一の出力情報の種類の組合せであったとしても、取得する順序によって異なる特典の付与を受けられるため、一旦組合せによる特典の付与を受けた遊技者に対しての再遊技を促進することができる。
【０２４２】
（４）  前記特典付与処理手段により前記特典付与処理が行なわれたことを条件として（たとえば、図１６のＳ４０５が実行されたことを条件として）、該特典付与処理の対象となった携帯識別情報に対応付けて前記携帯別出力情報記憶手段に記憶されている出力情報特定情報のうち、当該特典付与処理の対象となった出力情報特定情報を無効化する無効化手段（たとえば、図１６のＳ４０６）をさらに備える。
【０２４３】
このような構成によれば、遊技者は、特典付与処理の対象となった出力情報特定情報を伴うアクセスを繰返し行ない、何度も組合せによる特典の付与を受けるような行為を、防止することができる。
【０２４４】
（５）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）と、前記出力情報を取得した携帯端末からのアクセスに応じて特典（たとえば、待受け画像、買物ポイント、記念品）を付与するための処理を行なう遊技用サーバ（たとえば、遊技機メーカサーバ２００）とを備える遊技用システム（たとえば、特典付与システム１０）であって、
前記携帯端末は、
前記出力情報取得手段により取得された複数の出力情報各々の種類を特定可能な出力情報特定情報（たとえば、ＵＲＬ、所定の演出画像）を記憶する出力情報記憶手段（たとえば、図１９の特典ＤＢ）と、
前記遊技用サーバにアクセスするとともに、当該アクセスに伴って前記出力情報記憶手段に記憶されている複数の出力情報特定情報を前記遊技用サーバに送信する送信手段（たとえば、図２１のＳ１３５、図２２の４１３）とを備え、
前記遊技用サーバは、
前記送信手段により送信されてきた前記複数の出力情報特定情報を受信する受信手段（たとえば、図１５のＳ２３１）と、
複数種類の出力情報の組合せに応じて付与する特典を設定する特典設定手段（たとえば、図２５のＳ３０２、図８（ｂ）の組合せ特典ＤＢ）と、
前記受信手段により受信した前記複数の出力情報特定情報により特定される複数の出力情報の種類の組合せに対して前記特典設定手段にて設定された特典を付与するための特典付与処理を行なう特典付与処理手段（たとえば、図２３のＳ４０４、Ｓ４０６）とを備えることを特徴とする。
【０２４５】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２４６】
（６）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）からのアクセスに応じて特典（たとえば、待受け画像、買物ポイント、記念品）を付与するための処理を行なう遊技用サーバ（たとえば、遊技機メーカサーバ２００）であって、
複数の出力情報を取得した前記携帯端末からのアクセスに伴って当該複数の出力情報各々の種類を特定可能な出力情報特定情報（たとえば、ＵＲＬ、所定の演出画像）を、受信する受信手段（たとえば、図１５のＳ２３１、図２３のＳ４０１）と、
複数種類の出力情報の組合せに応じて付与する特典を設定する特典設定手段（たとえば、図２５のＳ３０２、図８（ｂ）の組合せ特典ＤＢ）と、
前記受信手段より受信した前記複数の出力情報特定情報により特定される複数の出力情報の種類の組合せに対して前記特典設定手段にて設定された特典を付与するための特典付与処理を行なう特典付与処理手段（たとえば、図２３のＳ４０４、Ｓ４０６）とを備えることを特徴とする。
【０２４７】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２４８】
（７）  前記受信手段は、前記携帯端末から、前記複数の出力情報各々の取得順序を特定可能な情報を受信し（たとえば、図２３のＳ４０１）、
前記特典設定手段は、前記複数種類の出力情報の組合せと該組合せに含まれる各出力情報の出力情報特定情報の取得順序とに応じて付与する特典を設定し（たとえば、図８（ｂ）の組合せ特典ＤＢ、図１６のＳ４０４）、
前記特典付与処理手段は、前記受信手段より受信した前記複数の出力情報特定情報により特定される複数の出力情報の種類の組合せと、前記受信手段より受信した各出力情報特定情報の取得順序を特定可能な情報から特定される取得順序と、に対して前記特典設定手段にて設定された特典を付与するための前記特典付与処理を行なう（たとえば、図２３のＳ４０４、Ｓ４０６）ことを特徴とする。
【０２４９】
このような構成によれば、同一の出力情報の種類の組合せであったとしても、取得する順序によって異なる特典の付与を受けられるため、一旦組合せによる特典の付与を受けた遊技者に対しての再遊技を促進することができる。
【０２５０】
（８）  前記受信手段によって出力情報特定情報を受信したときに、該受信した出力情報特定情報により特定される出力情報の種類を含む組合せに応じた特典の付与を受けるために必要な残りの出力情報の種類を示唆するための示唆情報を、前記携帯端末に返信する返信手段（たとえば、図１６のＳ４０２）をさらに備える。
【０２５１】
このような構成によれば、遊技者は、組合せに応じた特典の付与を受けるために必要な出力情報を認識することができるので、さらに再遊技への動機付けを高めることができる。
【０２５２】
（９）  前記特典設定手段による新たな設定が行なわれたことを条件として、該設定の対象となった遊技機の機種を特定可能な案内情報を前記携帯端末に送信する案内情報送信手段（たとえば、図１８のＳ３１４、図２５のＳ３１４）とを、さらに備える。
【０２５３】
このような構成によれば、遊技者に対して、出力情報の組合せに応じて付与する特典が新たに設定された遊技機での遊技を促すことができる。
【０２５４】
（１０）  前記特典設定手段は、種類の異なる遊技機からそれぞれ出力される前記出力情報の種類の組合せに応じて付与する特典を設定することを特徴とする（たとえば、図８（ａ）の特典ＤＢの機種の記憶エリアと図８（ｂ）の組合せ特典ＤＢの特典種別ＩＤ順序の記憶エリアの「Ｅ，Ａ」等）。
【０２５５】
このような構成によれば、ある種類の遊技機で遊技を行なった遊技者の他の種類の遊技機での遊技も促進することができる。
【０２５６】
（１１）  遊技機から出力される出力情報を取得する出力情報取得手段（たとえば、カメラ部１９０、データ処理部１１０、図２１のＳ１２３〜Ｓ１２５）と、
前記出力情報取得手段により取得された複数の出力情報各々の種類を特定可能な出力情報特定情報（たとえば、取得ＩＤ、取得済ＩＤ）を記憶する出力情報記憶手段（たとえば、図１９の取得特典ＤＢ、図２１のＳ１２６）と、
前記出力情報取得手段によって前記出力情報が取得されたことを条件に、複数種類の出力情報の組合せに応じて付与する特典を設定し、前記携帯端末から受信した複数の出力情報特定情報から特定される複数の出力情報の組合せに対して設定された特典を付与するための特典付与処理を行なう遊技用サーバにアクセスするとともに、当該アクセスに伴って前記出力情報記憶手段に記憶されている複数の出力情報特定情報を前記遊技用サーバに送信する送信手段（たとえば、図２１のＳ１３５、図２２の４１３）とを備えることを特徴とする。
【０２５７】
このような構成によれば、携帯端末は、遊技機から出力される複数種類の出力情報の組合せに応じて特典を付与する遊技用サーバへのアクセスに伴って複数の出力情報特定情報を送信し、遊技者は、当該送信した複数の出力情報特定情報により特定される複数の出力情報の種類の組合せに対して設定された特典の付与を受けることができるので、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２５８】
（１２）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図１３のＳ１２３〜Ｓ１２５）を有する携帯端末（たとえば、携帯端末１００）に記憶され実行される携帯端末用プログラム（たとえば、図１３の特典受取アプリ＋復号アプリ）と、前記出力情報を取得した携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段によって前記出力情報が取得されたことを条件として、前記遊技用サーバにアクセスするとともに、当該アクセスに伴って前記取得された出力情報の種類を特定可能な出力情報特定情報（たとえば、ＵＲＬ、所定の演出画像）と前記携帯端末を個々に識別可能な携帯識別情報（たとえば、会員ＩＤ）とを前記遊技用サーバに送信する送信ステップ（たとえば、図１３のＳ１３５）を備え、
前記遊技用サーバプログラムは、
前記送信ステップにより送信されてきた出力情報特定情報と携帯識別情報とを受信する受信ステップ（たとえば、図１５のＳ２３１）と、
複数種類の出力情報の組合せに応じて付与する特典を設定する特典設定ステップ（たとえば、図１８のＳ３０２、図８（ｂ）の組合せ特典ＤＢ）と、
各携帯識別情報に対応付けて前記受信ステップにより受信した出力情報特定情報を記憶する携帯別出力情報記憶ステップ（たとえば、図１６のＳ４０３、Ｓ４０６）と、
前記受信ステップにより出力情報特定情報と携帯識別情報とを受信したときに、該受信した携帯識別情報に対応付けて前記携帯別出力情報記憶ステップにより記憶されている出力情報特定情報を特定する出力情報特定情報特定ステップ（たとえば、図１６のＳ４０１、Ｓ４０４）と、
該出力情報特定情報特定ステップにより特定された出力情報特定情報により特定される出力情報の種類と前記受信した出力情報特定情報により特定される出力情報の種類との組合せに対して前記特典設定ステップにて設定された特典を付与するための特典付与処理を行なう特典付与処理ステップ（たとえば、図１６のＳ４０４、Ｓ４０５）とを含むことを特徴とする。
【０２５９】
このような構成によれば、遊技用サーバは、遊技機から出力される出力情報のうち、遊技者の携帯端末が以前に取得した出力情報の種類と今回取得した出力情報の種類との組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２６０】
（１３）  遊技機（たとえば、パチンコ遊技機７００）から出力される出力情報（たとえば、２次元コード１９１、所定の演出画像）を取得する出力情報取得手段（たとえば、カメラ部１９０、データ処理部１１０、図２１のＳ１２３〜Ｓ１２５）を有する携帯端末（たとえば、携帯端末１００）に記憶され実行される携帯端末用プログラム（たとえば、図２１の特典受取アプリ＋復号アプリ）と、前記出力情報を取得した携帯端末からのアクセスに応じて特典を付与するための処理を行なう遊技用サーバ（たとえば、遊技機メーカサーバ２００）に記憶され実行される遊技用サーバプログラム（図１５の特典付与処理）とを含む遊技用プログラムであって、
前記携帯端末用プログラムは、
前記出力情報取得手段により取得された複数の出力情報各々の種類を特定可能な出力情報特定情報（たとえば、ＵＲＬ、所定の演出画像）を記憶する出力情報記憶ステップ（たとえば、図２１のＳ１２６）と、
前記遊技用サーバにアクセスするとともに、当該アクセスに伴って前記出力情報記憶ステップにより記憶された複数の出力情報特定情報を前記遊技用サーバに送信する送信ステップ（たとえば、図２１のＳ１３５、図２２のＳ４１３）とを含み、
前記遊技用サーバプログラムは、
前記送信ステップにより送信されてきた前記複数の出力情報特定情報を受信する受信ステップ（たとえば、図１５のＳ２３１、図２３のＳ４０１）と、
複数種類の出力情報の組合せに応じて付与する特典を設定する特典設定ステップ（たとえば、図２５のＳ３０２、図８（ｂ）の組合せ特典ＤＢ）と、
前記受信ステップにより受信した前記複数の出力情報特定情報により特定される複数の出力情報の種類の組合せに対して前記特典設定ステップにて設定された特典を付与するための特典付与処理を行なう特典付与処理ステップ（たとえば、図２３のＳ４０４、Ｓ４０６）とを含むことを特徴とする。
【０２６１】
このような構成によれば、遊技用サーバは、携帯端末から送信される複数の出力情報特定情報により特定される複数の出力情報の種類の組合せに対して特典設定手段にて設定された特典を付与するため、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２６２】
（１４）  前記遊技用サーバプログラムは、前記特典設定ステップにて設定された出力情報の組合せを特定可能な組合せデータを前記携帯端末に送信する組合せデータ送信ステップ（たとえば、図２５のＳ３１６）を含み、
前記携帯端末用プログラムは、
前記出力情報取得手段により出力情報が取得されたことを条件に（たとえば、図２１のＳ１２１ｄで特別特典ＤＢが更新されたことを条件に）前記組合せデータ送信ステップにより送信されてきた前記組合せデータに基づいて、当該取得された出力情報の種類を含む組合せに応じた特典の付与を受けるために必要な残りの出力情報の種類を、示唆するための示唆情報を報知する示唆情報報知ステップ（たとえば、図２１のＳ１２１ｃ）とをさらに含むことを特徴とする。
【０２６３】
このような構成によれば、遊技者は、組合せに応じた特典の付与を受けるために必要な出力情報を認識することができるので、さらに再遊技への動機付けを高めることができる。
【０２６４】
（１５）  遊技機から出力される出力情報を取得する出力情報取得ステップ（たとえば、図２１のＳ１２３〜Ｓ１２５）と、
前記出力情報取得ステップにより取得された複数の出力情報各々の種類を特定可能な出力情報特定情報を記憶する出力情報記憶ステップ（たとえば、図２１のＳ１２６）と、
前記出力情報取得ステップによって出力情報が取得されたことを条件に、複数種類の出力情報の組合せに応じて付与する特典を設定し、前記携帯端末から受信した複数の出力情報特定情報から特定される複数の出力情報の組合せに対して設定された特典を付与するための特典付与処理を行なう遊技用サーバにアクセスするとともに、当該アクセスに伴って前記出力情報記憶ステップにより記憶されている複数の出力情報特定情報を前記遊技用サーバに送信する送信ステップ（たとえば、図２１のＳ１３５、図２２のＳ４１３）とを含むことを特徴とする。
【０２６５】
このような構成によれば、携帯端末は、遊技機から出力される複数種類の出力情報の組合せに応じて特典を付与する遊技用サーバへのアクセスに伴って複数の出力情報特定情報を送信し、遊技者は、当該送信した複数の出力情報特定情報により特定される複数の出力情報の種類の組合せに対して設定された特典の付与を受けることができるので、遊技機から出力情報を取得した遊技者がさらに出力情報を取得してそれら出力情報の種類の組合せに応じた特典を取得するべく再遊技を行なおうとするため、出力情報を取得した遊技者に対する再遊技の動機付けを高めることができる。
【０２６６】
（１６）  前記遊技用サーバにより特典付与処理が行われたことを条件として（図２３のＳ４０５、Ｓ４０６の処理が行なわれたことを条件として）、前記出力情報記憶ステップにより記憶された出力情報特定情報のうち、当該特典付与処理の対象となった出力情報特定情報を無効化する無効化ステップ（たとえば、図２２のＳ４１６）を含むことを特徴とする。
【０２６７】
このような構成によれば、遊技者が、組合せによる特典付与処理の対象となった出力情報特定情報を含むアクセスを繰返し行ない、何度も組合せによる特典の付与を受けるような行為を、防止することができる。
【０２６８】
次に前述した実施の形態の変形例を挙げる。
（１）  前述した実施の形態においては、携帯端末の例として、たとえば電話機能を有する携帯端末１００を示した。しかし、これに限定されず、本発明における携帯端末は、２次元コード１９１などのアクセス先を特定可能な情報を取得する機能と、サーバにアクセスを行なう機能とを有する携帯端末であれば、どのような携帯端末であってもよく、たとえば、ＰＤＡ（Personal Digital Assistant）、携帯型パーソナルコンピュータ、および、腕時計などであってもよい。
【０２６９】
また、前述した実施の形態においては、特典受取アプリと復号アプリとをサーバ２００から携帯端末１００がダウンロードするものを示したが、それに代えて、それらアプリの一方または双方を予め記憶している携帯端末１００であってもよい。
【０２７０】
（２）  前述した実施の形態においては、特典付与システム１０のサーバの例として、遊技機メーカサーバ２００を示した。しかし、これに限定されず、本発明におけるサーバは、ウェブサーバ機能（機種情報を提供する機能）と、携帯端末１００に特典を付与する機能とを有するサーバであれば、どのようなサーバであってもよく、たとえば、ウェブサーバ機能を有するサーバと、携帯端末１００に特典を付与する機能を有するサーバとを含むサーバ群であってもよい。
【０２７１】
（３）  前述した実施の形態においては、遊技機の例として、たとえばパチンコ遊技機７００を示した。しかし、これに限定されず、本発明における遊技機は、２次元コード１９１などのアクセス先を特定可能な情報を表示する機能を有する遊技機であれば、どのような遊技機であってもよく、たとえば、スロットマシン、業務用ゲーム機、および、家庭用ゲーム機などであってもよい。
【０２７２】
（４）  前述した実施の形態においては、パチンコ遊技機７００などの遊技機から出力される出力情報またはアクセス情報である２次元コードに、特典の付与を受けるアクセスのアクセス先の公開ＵＲＬおよび非公開ＵＲＬが含まれるようにした。しかし、これに限定されず、出力情報またはアクセス情報は、特典の付与を受けるアクセスのアクセス先を特定可能なものであればよい。
【０２７３】
たとえば、予め特典受取アプリまたは復号アプリに特典の付与を受けるアクセスのアクセス先を当該アクセス先の識別情報とともに記憶しておき、出力情報またはアクセス情報には、当該識別情報を含むようにしてもよい。また、２次元コードを、公開ＵＲＬや非公開ＵＲＬが含まれていない出力情報特定情報、すなわち、出力情報の種類を示すコード情報（特典種別ＩＤ）にしてもよい。この場合、特典受取アプリに１つのＵＲＬが含まれており、そのＵＲＬへのアクセスに伴ってコード情報（特典種別ＩＤ）を送信するようにしてもよい。
【０２７４】
また、出力情報またはアクセス情報は、単なる画像であり、当該画像を取得した携帯端末１００によって、当該画像が電子メールに添付されて遊技機メーカサーバ２００に送信され、遊技機メーカサーバ２００によって、当該画像が認識されて、当該画像が正当なものであれば当該画像に対応するアクセス先を示す情報が携帯端末１００に送信されるようにしてもよいし、当該アクセス先に代えて特典が付与されたメールを返信するようにしてもよい。
【０２７５】
（５）  前述した実施の形態においては、パチンコ遊技機７００から取得した２次元コードを特定可能な情報が、２次元コードで示される情報に含まれる遊技機ＩＤ、および、図１３のＳ１２５で２次元コードが取得されたときに携帯端末１００によって定められる取得日時であることとした。
【０２７６】
しかし、これに限定されず、パチンコ遊技機７００に２次元コードを生成する機能およびリアルタイムクロック機能を設けるようにして、パチンコ遊技機７００から取得した２次元コードを特定可能な情報が、予めパチンコ遊技機７００に記憶され２次元コードで示される情報に含められた遊技機ＩＤ、および、２次元コード生成時に２次元コードに含められた時刻情報であることとしてもよい。
【０２７７】
しかし、これに限定されず、アクセスの上限回数を設定するようにして、設定された上限回数以上アクセスが行なわれたときに、特典を付与しないようにしてもよい。
【０２７８】
（６）  前述した第２実施の形態においては、遊技機からの出力情報を取込んだ携帯端末１００が遊技機メーカサーバ２００にアクセスして、取得特典ＤＢに記憶されているデータを送信するようにしている（図２２のＳ４１３）。しかし、それに代えて、携帯端末１００が組合せ特典ＤＢを参照して組合せ特典が成立したか否か判断し、成立している場合にその成立している組合せ特典を返信する旨の要求を遊技機メーカサーバ２００に送信し、遊技機メーカサーバ２００がそれを受けて要求された組合せ特典を返信するようにしてもよい。この場合、携帯端末１００は、組合せ特典を返信する旨の要求を送信した後、組合せ特典ＤＢ内における当該組合せが成立している特典種別ＩＤの組合せおよび順序を無効化する。
【０２７９】
（７）  前述した実施の形態においては、遊技機の情報を提供する情報提供サイトである図１１（ｂ）で示した遊技機機種情報ページにアクセスして当該遊技機機種情報ページにリンクされた復号アプリダウンロードページにアクセスするだけで、図９のＳ２１６およびＳ１１９で復号アプリがダウンロードできることとした。しかし、これに限定されず、さらに、会員登録されていること、または、遊技結果をダウンロードの条件としてもよい。
【０２８０】
（８）  前述した実施の形態のおいては、図９のＳ２１６で、すでに他の機種の復号アプリが携帯端末１００に記憶されている場合には、遊技者の所望の機種に対応する差分で復号アプリを更新するための情報を携帯端末１００に送信するようにした。
【０２８１】
しかし、これに限定されず、他の機種の復号アプリがすでに携帯端末１００に記憶されていたとしても、遊技者の所望の機種に対応する新たな復号アプリを携帯端末１００に送信するようにしてもよい。
【０２８２】
（９）  前述した実施の形態においては、復号アプリは、一度、携帯端末１００にダウンロードされれば、特に期限はなく使えるものとした。しかし、これに限定されず、復号アプリの使用可能期限を設けるようにしてもよい。
【０２８３】
具体的には、遊技機メーカサーバ２００によって、図１８のＳ３０４で、所定期間ごと（たとえば月ごと）の複数の暗号キーで非公開ＵＲＬがそれぞれ暗号化され、Ｓ３０５で、それぞれの暗号キーごとの復号アプリが生成され、２次元コードに所定期間ごとの暗号化非公開ＵＲＬを示す情報が含められるようにし、図９のＳ２１６で、日に応じた所定期間に対応する復号アプリがダウンロードされるようにする。そして、パチンコ遊技機７００によって、日に応じた所定期間に対応する２次元コードが表示されるようにする。これによって、復号アプリの使用可能期限を所定期間とすることができる。
【０２８４】
（１０）  前述の図１３や図２１のＳ１３２で、少なくとも１つの復号アプリが記憶されているか否か判定しているが、それに代えて、各機種ＩＤからそれに対応する復号アプリを特定できるように携帯端末１００に記憶させておき、読取った２次元コードに含まれている機種ＩＤに対応する復号アプリが記憶されているか否か判定し、記憶されている場合にその復号アプリを用いて暗号化非公開ＵＲＬを復号するようにしてもよい。
【０２８５】
また、アプリとしては、特典受取アプリと復号アプリとがあるが、特典受取アプリのみにしてもよい。この場合には、読取った２次元コードに含まれている機種情報に基づいて対応する復号キーが特典受取アプリに記憶され、その復号キーを用いて特典受取アプリが暗号化非公開ＵＲＬを復号する。
【０２８６】
（１１）  前述の実施の形態では、遊技機メーカサーバ２００の記憶部２２０に一般特典ＤＢを記憶させて公開ＵＲＬにアクセスしてきた遊技者に一般特典を付与するものを示したが、この一般特典ＤＢを記憶させないようにして遊技者に一般特典を付与しないようにしてもよい。また、前述の実施の形態では、復号アプリを携帯端末１００にダウンロードした会員のみが、暗号化ＵＲＬを復号して非公開ＵＲＬにアクセスして特別特典を取得できるようにしたが、２次元コード１９１に暗号化されていない平文のＵＲＬを含ませ、読取った平文のＵＲＬに直接アクセスして特別特典を取得できるようにしてもよい。
【０２８７】
さらに、前述の実施の形態では、携帯端末１００により非公開ＵＲＬにアクセスしてデータを送信する際に遊技機ＩＤと取得日時も送信し（Ｓ１３５参照）、遊技機メーカサーバ２００側において、同じ遊技機ＩＤおよび取得日時の組合せの重複した送信による重複した特典の取得という不正行為を防止している（Ｓ２３４参照）。しかし、この遊技機ＩＤおよび取得日時の送信およびそれに基づいた不正行為のチェックを行なわないようにしてもよい。
【０２８８】
（１２）  前述した実施の形態では、遊技機の変動表示装置７４５から表示される２次元コード１９１を携帯端末が撮影してそれに含まれるＵＲＬにアクセスするものを示したが、それに代えて、変動表示装置７４５により予め定められた演出画像が表示され、その演出画像を携帯端末１００で撮影して遊技機メーカサーバ２００に送信するようにしてもよい。その場合に、特典ＤＢにおいて、ＵＲＬの代わりに演出画像を記憶させ、送信されてきた演出画像がどの種類の演出画像に一致するかを判別して、その一致する演出画像に対応して記憶されている特典を付与するとともに、その一致する演出画像に対応して記憶されている特典種別ＩＤを当該会員ＩＤに対応付けて取得特典ＤＢに記憶させる。なお、各種演出画像とそれに対応した演出画像コードとを記憶する専用の演出画像ＤＢを構築し、送信されてきた演出画像をその演出画像ＤＢで照合チェックして、一致する演出画像に対応する演出画像コードを割出すようにしてもよい。そして特典ＤＢには演出画像自体を記憶させるのではなく演出画像コードを記憶させ、割出された演出画像コードに対応して記憶されている特典および特典種別ＩＤを特典ＤＢを検索して割出すようにしてもよい。
【０２８９】
（１３）  前述の実施の形態では、組合せ特典が成立した場合にはその組合せ特典の成立に用いられたデータを取得特典ＤＢから削除することによって無効化するものを示したが（図１６のＳ４０６、図２２のＳ４１６参照）、それに代えて、組合せ特典の成立に用いられたデータを無効化した旨を表わすフラグを取得特典ＤＢに記憶させてデータの無効化を行なうようにしてもよい。また、前述の実施の形態では、組合せ特典の成立に用いられたデータをすべて無効化するものを示したが、それに代えて、組合せ特典の成立に用いられたデータのうち一部のみを無効化するように構成してもよい。
【０２９０】
（１４）  前述の実施の形態では、大当り終了時あるいは連チャン終了時において、２次元コードを変動表示装置７４５により表示するものを示したが、それに代えてまたはそれに加えて、プレミアムリーチ成立時等に、２次元コードを変動表示装置７４５で表示するようにしてもよい。
【０２９１】
（１５）  前述の実施の形態では、新機種の遊技機の発表時に、その新機種の遊技機における特別特典ＤＢ用のデータを新たに設定し、当該新たに設定された新機種を特定可能な案内情報を携帯端末１００に送信するものを示した。しかし、それに限らず、既存機種に対して新たな組合せ特典を追加設定したり変更された組合せ特典を再設定し、その際に設定された機種を特定可能な案内情報を携帯端末１００に送信するようにしてもよい。さらに、この案内情報の携帯端末１００への送信時期は、特別特典ＤＢ用のデータが設定されたとき、携帯端末１００が遊技機メーカサーバ２００のホームページにアクセスしたとき、パチンコ遊技機７００からの出力情報（２次元コードや演出画像等）を携帯電話が取込んで遊技機メーカサーバ２００にアクセスしたとき等、どのようなときであってもよい。
【０２９２】
（１６）  前述の実施の形態では、携帯端末１００において、組合せ特典を付与するために必要な残りの出力情報の示唆を、パチンコ遊技機７００から取得した出力情報に基づいてサーバにアクセスしたが組合せ特典が成立していない場合に表示するとともに（図２２のＳ４１１参照）、遊技者が組合せ特典取得情報の表示選択操作を行なった場合に表示するものを示したが（図２１のＳ１２１ｃ参照）、それに加えて、パチンコ遊技機７００から出力された出力情報を携帯端末１００が取得したとき、遊技機メーカサーバ２００へのアクセス時等において、表示するようにしてもよい。
【０２９３】
（１７）  前述の実施の形態では、特典取得ＤＢに「取得済ＩＤ」の記憶エリアを設け、通常設定により設定された組合せ特典が付与されることによって「取得ＩＤ」の記憶エリアのデータが無効化（たとえば消去）されたとしても、引続き「取得済ＩＤ」に取得済ＩＤのデータを記憶させておくことにより、たとえばＡ，Ｂ，Ｃ，Ｄの特典種別ＩＤを取得した段階で、その取得済ＩＤの記憶エリアのデータに基づいて記念品の組合せ特典を付与できるように構成したものを示した。しかし、これに限定されるものではなく、以下に示す３種類の方法を採用してもよい。
【０２９４】
第１の方法としては、取得済ＩＤの欄を設けなく、ある組合せ特典の取得ＩＤの組合せ（たとえばＡが１番、Ｂが２番）が成立した段階で、それに対応する組合せ特典（たとえば、キャラクタＸ，Ｙ合体待受け画像）を取得するか否かの選択を遊技者にさせ、取得する旨の選択があった場合には、その組合せが成立している取得ＩＤのデータを無効化（たとえば消去）する。一方、現段階では取得せずにさらに取得ＩＤの組合せを増やしてより大きな組合せ特典（たとえば記念品）を取得するべく、遊技者が現段階では取得しないことを選択した場合には、取得ＩＤの記憶データを無効化（たとえば消去）しないように制御する。そして、現在記憶されている取得ＩＤのデータであるＡ，Ｂに対して、さらにＣ，Ｄの特典種別ＩＤを取得した段階で、取得ＩＤの記憶エリアのデータがＡ，Ｂ，Ｃ，Ｄとなり、その段階で記念品の組合せ特典を取得できるようにする。
【０２９５】
すなわち、取得ＩＤのデータを無効化する時期を遊技者に委ね、どの段階で成立した組合せ特典を取得して無効化（たとえば消去）するかを、遊技者に選択させるという方法である。
【０２９６】
また、本実施の形態の組合せ特典ＤＢに加えて、たとえば、Ａ，Ｂ，Ｃ，Ｄ，Ｅの特典種別ＩＤの組合せが成立したときにより高価な記念品が付与されるように組合せ特典ＤＢを設定した場合においても、取得ＩＤのエリアの無効化時期を遊技者に委ねるために、遊技者がそのより高価な記念品を取得するまで無効化しなければ、そのより高価な記念品の取得ＩＤの組合せが成立したか否かの判定も可能となる。
【０２９７】
第２の方法としては、組合せ特典が成立して遊技者に付与した後においても、取得ＩＤのデータを無効化（たとえば消去）しないように制御するものである。これによって、通常設定による組合せ特典が成立してそれが遊技者に付与された後においても、取得ＩＤの記憶データが消去されずに残るために、さらに取得ＩＤの組合せを増加させて、取得ＩＤのエリアがたとえばＡ，Ｂ，Ｃ，Ｄとなり、記念品の組合せ特典の取得ＩＤの組合せが成立した段階で、記念品を付与する。
【０２９８】
さらに、この後、たとえば、Ｅの特典種別ＩＤが送信されてきた場合に、記念品付与後もＡ，Ｂ，Ｃ，Ｄのデータが無効化されずに残っているために、Ａ，Ｂ，Ｃ，Ｄ，Ｅの特典種別ＩＤの組合せとなるが、このＡ，Ｂ，Ｃ，Ｄ，Ｅの特典種別ＩＤの組合せが成立したときにより高価な記念品が付与されるように組合せ特典ＤＢを設定した場合においては、そのより高価な記念品の取得ＩＤの組合せが成立したか否かの判定も可能となり、より高価な記念品の付与がなされる。
【０２９９】
なお、これ以上の特典種別ＩＤの組合せが存在しない最終の組合せ特典が付与された段階で、その特典種別ＩＤの組合せを無効化（たとえば削除）してもよい。
【０３００】
第３の方法としては、組合せ特典が付与される取得ＩＤの組合せが成立してその組合せ特典が付与された場合に、その成立した取得ＩＤの組合せデータを無効化することなく、そのデータが組合せ特典の付与済である旨を表す付与済フラグの記憶エリアを設け、その記憶エリアに付与済である旨のデータ（たとえば「Ａ１、Ｂ２」）を記憶させるように制御する。このようにすれば、特典付与済の取得ＩＤを再度遊技機メーカサーバ２００に送信して（たとえば、再度Ａを送信した後Ｂを送信して）重複して特典を取得する不正行為が行われた場合には、「Ａ１、Ｂ２」というデータになるが、これは前述の付与済である旨のデータ「Ａ１、Ｂ２」と同じであるために、再度の特典付与は行わない。これにより、重複して特典を取得する不正行為を防止できる。一方、携帯端末１００から、Ｂが送信された後Ａが送信された場合には、「Ｂ１、Ａ２」というデータになるが、これは前述の付与済である旨のデータ「Ａ１、Ｂ２」と異なるために、特典付与を行なう。そして、取得ＩＤの記憶データが引続き残っているために、取得ＩＤの組合せをさらに増加させてより高価な組合せ特典である記念品に対応する取得ＩＤの組合せが成立したか否かを判定することが可能となる。
【０３０１】
また、本実施の形態の組合せ特典ＤＢに加えて、Ａ，Ｂ，Ｃ，Ｄ，Ｅの特典種別ＩＤの組合せが成立したときにより高価な記念品が付与されるように組合せ特典ＤＢを設定した場合においても、取得ＩＤのエリアが無効化されないために、そのより高価な記念品の取得ＩＤの組合せが成立したか否かの判定も可能となる。
【０３０２】
（１８）  前述の第２実施の形態においても、図１６のＳ４０２による、「組合せ特典ＤＢ（図８（ｂ）参照）を検索して組合せ特典の成立に不足している特典種別と順序とを割出して会員の携帯端末１００に返信する制御」を行ない、これを受信した携帯端末１００において、図２２のＳ４１１による、「組合せ特典の成立に不足している特典種別と順序とを表示する処理」を行うようにしてもよい。
【０３０３】
（１９）  今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０３０４】
１０  特典付与システム、３０  遊技場、１００  携帯端末、１１０  データ処理部、１２０  記憶部、１３０  データ入力部、１４０  表示部、１５０  音声入出力部、１６０  無線通信部、１６１  アンテナ、１９０  カメラ部、１９１  ２次元コード、２００
遊技機メーカサーバ、２１０  データ処理部、２２０  記憶部、２３０  データ入力部、２４０  表示部、２６０  通信部、５００  携帯端末キャリアサーバ、５１０  アンテナ、６００  カードユニット、７００  パチンコ遊技機、７１０  遊技制御部、７３０  各種スイッチ、７４０  演出制御部、７４５  変動表示装置、７５０  各種アクチュエータ、７６０  払出制御部、７６５  球払出装置、７４５  変動表示装置、９１０  インターネット。
【図１】
0005497083.tif 000002
【図２】
0005497083.tif 000003
【図３】
0005497083.tif 000004
【図４】
0005497083.tif 000005
【図５】
0005497083.tif 000006
【図６】
0005497083.tif 000007
【図７】
0005497083.tif 000008
【図８】
0005497083.tif 000009
【図９】
0005497083.tif 000010
【図１０】
0005497083.tif 000011
【図１１】
0005497083.tif 000012
【図１２】
0005497083.tif 000013
【図１３】
0005497083.tif 000014
【図１４】
0005497083.tif 000015
【図１５】
0005497083.tif 000016
【図１６】
0005497083.tif 000017
【図１７】
0005497083.tif 000018
【図１８】
0005497083.tif 000019
【図１９】
0005497083.tif 000020
【図２０】
0005497083.tif 000021
【図２１】
0005497083.tif 000022
【図２２】
0005497083.tif 000023
【図２３】
0005497083.tif 000024
【図２４】
0005497083.tif 000025
【図２５】
0005497083.tif 000026